(57)【特許請求の範囲】
【請求項１】
ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、
前記トレーは、前記ディスクマガジン内をスライド移動可能に設けられ、
前記ディスク選択部には、前記トレーを移動させる駆動ユニットが設けられ、
前記トレーには、前記ディスク選択部によって選択されたディスクを保持するディスク保持位置と、ディスクを解放するディスク解放位置との間を移動可能なディスク保持部材が、ディスクの周縁に複数設けられ、
前記ディスク保持部材は、単一のリンク部材によって同期可能に設けられ、
前記リンク部材は、前記駆動ユニットによって駆動可能に設けられていることを特徴とするディスク装置。
【請求項２】
ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、
前記トレーは、前記ディスクマガジン内をスライド移動可能に設けられ、
前記ディスク選択部には、前記トレーを移動させる駆動ユニットが設けられ、
前記スイングユニット及び前記駆動ユニットは、共通の駆動源によって駆動されることを特徴とするディスク装置。
【請求項３】
ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、
前記トレーは、前記ディスクマガジン内をスライド移動可能に設けられ、
前記ディスク選択部には、前記トレーを移動させる駆動ユニットが設けられ、
前記シャーシユニットには、前記ディスクマガジンの引き込み及び排出を行うローディング機構が設けられ、
前記ディスク選択部には、選択したディスクを装着したトレーに応じて、昇降可能に設けられ、
前記ディスク選択部には、前記トレーを移動させる駆動ユニットが設けられ、
前記ローディング機構及び前記ディスク選択部は、共通の駆動源によって駆動されることを特徴とするディスク装置。
【請求項４】
ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、
前記トレーは、前記ディスクマガジン内をスライド移動可能に設けられ、
前記ディスク選択部には、前記トレーを移動させる駆動ユニットが設けられ、
前記ディスク選択部には、ディスクマガジンの間に振り込まれる前の前記スイングユニットの変位を規制する待機状態ロック部が設けられていることを特徴とするディスク装置。
【請求項５】
ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、
前記トレーは、前記ディスクマガジン内をスライド移動可能に設けられ、
前記ディスク選択部には、前記トレーを移動させる駆動ユニットが設けられ、
前記シャーシユニットには、ディスクマガジンの間に振り込まれた前記スイングユニットの変位を規制する振り込み状態ロック部が設けられていることを特徴とするディスク装置。
【請求項６】
ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、
前記トレーは、前記ディスクマガジン内をスライド移動可能に設けられ、
前記ディスク選択部には、前記トレーを移動させる駆動ユニットが設けられ、
前記ディスク再生部は、ディスクが載置されるターンテーブルと、ディスクに記録された情報を検出する光学ピックアップと、前記光学ピックアップを移動させる送り機構とを有し、
前記ターンテーブルには、ディスクの中心穴に係脱可能なディスク保持部材が設けられ、移動する前記光学ピックアップの付勢力によって、
前記ディスク保持部材をディスク保持状態からディスク解放状態へ移行させるリリース機構とを備えたことを特徴とするディスク装置。
【請求項７】
ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、
前記トレーは、前記ディスクマガジン内をスライド移動可能に設けられ、
前記ディスク選択部には、前記トレーを移動させる駆動ユニットが設けられ、
前記マガジン分割部には、分割されたディスクマガジンとともに昇降するトレーガイドが設けられ、
前記トレーガイドは、昇降するディスクマガジン内のトレーの端部が、その移動によって摺動可能に挿通されるスリットを有することを特徴とするディスク装置。
【請求項８】
ディスクを装着した複数枚のトレーが収納され、上面部と下面部とに分割可能なディスクマガジンにおいて、
前記トレーは、前記ディスクマガジン内をスライド移動可能に設けられ、
前記ディスクマガジンの上面部及び下面部の少なくとも一方には、前記トレーの移動を規制する方向に前記トレーを付勢するトレースプリングが設けられていることを特徴とするディスクマガジン。
【請求項９】
ディスクを装着した複数枚のトレーが収納され、上面部と下面部とに分割可能なディスクマガジンにおいて、
前記トレーは、前記ディスクマガジン内をスライド移動可能に設けられ、
前記トレーには、ディスクを保持するディスク保持位置と、ディスクを解放するディスク解放位置との間を移動可能なディスク保持部材が、ディスクの周縁に複数設けられ、
前記ディスク保持部材は、単一のリンク部材によって同期可能に設けられていることを特徴とするディスクマガジン。
【請求項１０】
ディスクを装着した複数枚のトレーが収納され、上面部と下面部とに分割可能なディスクマガジンにおいて、
前記トレーは、前記ディスクマガジン内をスライド移動可能に設けられ、
前記トレーには、ディスクを保持するディスク保持位置と、ディスクを解放するディスク解放位置との間を移動可能なディスク保持部材が、ディスクの周縁に複数設けられ、
前記ディスク保持部材をディスク解放位置へ移行させるディスクロックレバーが、手動により移動可能に設けられていることを特徴とするディスクマガジン。
【請求項１１】
ディスクを装着した複数枚のトレーが収納され、上面部と下面部とに分割可能なディスクマガジンにおいて、
前記トレーは、前記ディスクマガジン内をスライド移動可能に設けられ、
前記トレーには、ディスクを保持するディスク保持位置と、ディスクを解放するディスク解放位置との間を移動可能なディスク保持部材が、ディスクの周縁に複数設けられ、
前記ディスク保持部材をディスク解放位置へ移行させるディスクロックレバーが、手動により移動可能に設けられ、
前記ディスクロックレバーの移動端に、前記トレーのスライド移動を規制する規制位置と前記トレーを解放する解放位置との間を移動可能なトレーロックリンクが設けられていることを特徴とするディスクマガジン。
【請求項１２】
ディスクを装着した複数枚のトレーが収納され、上面部と下面部とに分割可能なディスクマガジンにおいて、
前記トレーは、前記ディスクマガジン内をスライド移動可能に設けられ、
前記上面部と前記下面部とが合体した状態において、その側面に開口部が形成されるように、前記上面部及び前記下面部の周縁には、間隔を空けて側壁が形成されていることを特徴とするディスクマガジン。
【発明の詳細な説明】
【０００１】
【発明の属する技術分野】
本発明は、ディスクを複数枚収容したディスクマガジンの中から、所望のディスクを選択して再生・記録するディスク装置に係り、特に、ディスクマガジンを上下に分割した状態でディスク選択及び再生・記録を行うことにより、各構成部材の近接配置を可能とし、装置全体の小形化を図ったディスク装置及びこれに用いるディスクマガジンに関する。
【０００２】
【従来の技術】
近年、ＣＤプレーヤやＭＤプレーヤのように、媒体としてディスクを用いるディスク装置の普及が著しい。特に、車載用のディスク装置としては、ディスクを複数枚収納したディスクマガジンの中から、所望のディスクを選択して再生するオートチェンジャー式のものが開発されている。このオートチェンジャー式のディスク装置は、再生するディスクを交換する度に、ディスクを１枚ずつ出し入れする必要がないので、車載用として特に便利である。
【０００３】
このようなディスクマガジンを用いるディスク装置は、マガジン収容部に隣接してディスク再生部が配設されている。そして、搬送機構によってマガジン内の所望のディスクを引き出し、ディスク再生部まで搬送してセットした後、ディスク再生を行うものが多かった。しかし、かかる構成にすると、ディスク再生部にディスクをセットして再生するスペースを確保するために、隣接して設けられたディスク再生部とマガジン収容部との間に、一定の距離をおく必要がある。従って、ディスク装置全体が大形化することになり、取り付けスペースが制約された車載用の機器としては不利であった。
【０００４】
例えば、最近の車載用音響機器を対象としてみると、それを収納する車両側の開口部寸法は、ＤＩＮサイズと呼ばれる１８０×５０（ｍｍ）、あるいはダブルＤＩＮサイズと呼ばれる１８０×１００（ｍｍ）に統一されてきている。また、開口部の奥行き寸法についても、１６０ｍｍ前後しかないのが現状で、車両の音響機器取付けスペースの制約をうける。
【０００５】
これに対し、コンパクトディスクのサイズは直径１２０ｍｍであることを考えると、上記のようなディスク装置では、一番長い横幅方向に１２０×２＝２４０（ｍｍ）以上の寸法が必要となるので、運転席の横に位置する開口部には、機器を収納できないことがわかる。
【０００６】
上記のような事情から、旧来のＣＤオートチェンジャーにおいては、車両のトランクの中か、運転席の足元近くに収納するようにしている。しかし、前者の場合では、トランクスペースが狭くなる、ディスクの交換の度にトランクを開けなけらばならない、トランクと操作部とを結ぶ長い線が必要となる等の欠点がある。また、後者の場合では、足元の空間部分がそれだけ狭くなり、足が誤って触れた場合に破損する可能性がある。
【０００７】
これに対処するために、特開平６−２０３５１９号に提案されているように、ディスクマガジンを上下に分割し、その間にディスク再生部を振り込んだ状態でディスク再生を行うディスク装置が提案されている。このようなディスク装置は、ディスク収納位置とディスク再生位置とが重なるので、水平方向のスペースを縮小することができる。
【０００８】
なお、ディスクマガジンの分割は、シャーシユニットに昇降可能に設けられたマガジンホルダーによって行うのが通例である。すなわち、マガジンホルダーに固定されたピンを、カムプレートに形成された階段状カムに挿通し、このカムプレートを前後にスライド移動させることによって、階段状カム内を移動するピンと共にマガジンホルダーを上昇させるという構成をとる。そして、マガジンホルダーによって上部のディスクマガジンを保持し、このマガジンホルダーを上昇させることにより、上部のディスクマガジンを内部のトレーと共に持ち上げ、下部のディスクマガジンから分割する。
【０００９】
【発明が解決しようとする課題】
しかしながら、上記のような分割構造のディスクマガジンを用いたディスク装置には、以下のような改良すべき点があった。すなわち、ディスクマガジンをローディングする機構、再生するディスクを選択する機構、ディスクマガジンの合体状態を解除する機構、ディスクマガジンが分割された際にトレーを保持する機構、選択されたディスクをトレーから解放してターンテーブル上にセットする機構等が、それぞれ複雑であり、必要とする駆動源の数も多い。このため、ディスクマガジンの周囲に多数の複雑な機構を設ける必要があり、装置全体の複雑化、大型化を招いていた。
【００１０】
また、分割されたディスクマガジン間に振り込まれたディスク再生部の上下には、スペース的な余裕がないため、ターンテーブル上のディスクの上から、通常のクランパーによってチャッキングすることは困難である。従って、狭いスペースであっても、ターンテーブルに対するディスクの装着及び脱着を確実に行うことができる簡素な機構の開発が期待されている。
【００１１】
また、通常、振り込み型のディスク再生部は、回転軸を中心に回動するスイングユニット上に設けられている。このため、スイングユニットが、分割された上下のディスクマガジンの間に振り込まれた時には、ディスク再生部は、スイングユニットの回転支点の１点のみで支えられていることになり、振動に対して弱く、車載用のディスク装置として用いる場合に不利となる。
【００１２】
また、分割型のディスクマガジンは、持ち運び時やディスク挿入時等の通常時には、その結合状態をロックしておき、ディスク再生時にのみロックが解除されて分割される必要がある。このため、ロック専用の部材を備える必要があり、ディスクマガジンの構造が複雑化する。
【００１３】
また、分割したディスクマガジンを再び合体させる際に、上下のディスクマガジンの位置にずれが生じると、合体することができずに動作不良を生じる。これに対処するために、強固な保持機構を用いたり、位置精度を高めようとすると、複雑なメカニズム、高価な部品が必要になり、小形化、低コスト化には不利となる。
【００１４】
本発明は、以上のような従来技術の問題点を解決するために提案されたものであり、その主たる目的は、簡単な機構と少ない駆動源によって、ディスクマガジンのロック及びロック解除、ディスクの選択、トレー保持、ディスク保持及びディスク解放等を実現することができ、小型で信頼性のあるディスク装置を提供することである。
【００１５】
本発明の第２の目的は、簡素な構造で、ディスクマガジンを分割合体する際の位置ずれを防止することができるディスク装置を提供することである。
【００１６】
本発明の第３の目的は、狭いスペースであっても、ターンテーブルに対するディスクの装着及び脱着を確実に行うことができる簡素な機構を備えたディスク装置を提供することである。
【００１７】
本発明の第４の目的は、振動に対して強く、車載用のディスク装置として用いる場合に有利なディスク装置を提供することである。
【００１８】
本発明の第５の目的は、簡素な内部構造で、結合状態のロック及びロック解除を行うことができるディスクマガジンを提供することである。
【００２４】
【課題を解決するための手段】
上記のような問題点を解決するために、本発明のディスク装置は、ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、前記トレーは、前記ディスクマガジン内をスライド移動可能に設けられ、前記ディスク選択部には、前記トレーを移動させる駆動ユニットが設けられ、前記トレーには、前記ディスク選択部によって選択されたディスクを保持するディスク保持位置と、ディスクを解放するディスク解放位置との間を移動可能なディスク保持部材が、ディスクの周縁に複数設けられ、前記ディスク保持部材は、単一のリンク部材によって同期可能に設けられ、前記リンク部材は、前記駆動ユニットによって駆動可能に設けられていることを特徴とする。
【００２５】
以上のような請求項１記載の発明では、トレーからのディスクの保持及び解放を駆動ユニットと単一のリンク部材によって行うので、ディスクマガジンのロック及びロック解除と、ディスクの保持及び解放を共通の機構によって行うことができ、装置の簡素化とスペースの節約が可能となる。
【００２６】
請求項２記載の発明は、ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、前記トレーは、前記ディスクマガジン内をスライド移動可能に設けられ、前記ディスク選択部には、前記トレーを移動させる駆動ユニットが設けられ、前記スイングユニット及び前記駆動ユニットは、共通の駆動源によって駆動されることを特徴とする。
【００２７】
以上のような請求項２記載の発明では、スイングユニットと駆動ユニットとが共通の駆動源によって駆動されるので、部材数の節約となる。
【００２８】
請求項３記載の発明は、ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、前記トレーは、前記ディスクマガジン内をスライド移動可能に設けられ、前記ディスク選択部には、前記トレーを移動させる駆動ユニットが設けられ、前記シャーシユニットには、前記ディスクマガジンの引き込み及び排出を行うローディング機構が設けられ、前記ディスク選択部には、選択したディスクを装着したトレーに応じて、昇降可能に設けられ、前記ディスク選択部には、前記トレーを移動させる駆動ユニットが設けられ、前記ローディング機構及び前記ディスク選択部は、共通の駆動源によって駆動されること特徴とする。
【００２９】
以上のような請求項３記載の発明では、ローディング機構とディスク選択部とが共通の駆動源によって駆動されるので、部材数の節約となる。
【００３０】
請求項４記載の発明は、ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、前記トレーは、前記ディスクマガジン内をスライド移動可能に設けられ、前記ディスク選択部には、前記トレーを移動させる駆動ユニットが設けられ、前記ディスク選択部には、ディスクマガジンの間に振り込まれる前の前記スイングユニットの変位を規制する待機状態ロック部が設けられていることを特徴とする。
【００３１】
以上のような請求項４記載の発明では、待機状態にあるスイングユニットが、待機状態ロック部によって安定して保持されるので、振動による揺れが防止され、部品の変形や破損のおそれがなくなる。
【００３２】
請求項５記載の発明は、ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、前記トレーは、前記ディスクマガジン内をスライド移動可能に設けられ、前記ディスク選択部には、前記トレーを移動させる駆動ユニットが設けられ、前記シャーシユニットには、ディスクマガジンの間に振り込まれた前記スイングユニットの変位を規制する振り込み状態ロック部が設けられていることを特徴とする。
【００３３】
以上のような請求項５記載の発明では、振り込まれたスイングユニットが、振り込み状態ロック部によって安定して保持されるので、ディスク再生時に振動による音飛びが発生しなくなるとともに、部品の変形や破損のおそれがなくなる。
【００３４】
請求項６記載の発明は、ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、前記トレーは、前記ディスクマガジン内をスライド移動可能に設けられ、前記ディスク選択部には、前記トレーを移動させる駆動ユニットが設けられ、前記ディスク再生部は、ディスクが載置されるターンテーブルと、ディスクに記録された情報を検出する光学ピックアップと、前記光学ピックアップを移動させる送り機構とを有し、前記ターンテーブルには、ディスクの中心穴に係脱可能なディスク保持部材が設けられ、移動する前記光学ピックアップの付勢力によって、前記ディスク保持部材をディスク保持状態からディスク解放状態へ移行させるリリース機構とを備えたことを特徴とする。
【００３５】
以上のような請求項６記載の発明では、ターンテーブル上へのディスクの装着は、ディスク保持部材によってクランパー無しで行うことができるとともに、ディスクを解放するリリース機構は、光学ピックアップの移動によって駆動されるので、特別な駆動源を省略することができ、装置全体の小形化が可能となる。
【００３８】
請求項７記載の発明は、 ディスクを装着した複数枚のトレーが収納され、上面部と下面部とに分割可能なディスクマガジンと、前記ディスクマガジンを装着するシャーシユニットと、前記シャーシユニットに装着された前記ディスクマガジンを分割及び合体させるマガジン分割部と、所望のディスクを選択するディスク選択部と、分割された上下のディスクマガジンの間に振り込まれるスイングユニットと、前記スイングユニット上に設けられ、前記ディスク選択部によって選択されたディスクを再生するディスク再生部とを有するディスク装置において、前記トレーは、前記ディスクマガジン内をスライド移動可能に設けられ、前記ディスク選択部には、前記トレーを移動させる駆動ユニットが設けられ、前記マガジン分割部には、分割されたディスクマガジンとともに昇降するトレーガイドが設けられ、前記トレーガイドは、昇降するディスクマガジン内のトレーの端部が、その移動によって摺動可能に挿通されるスリットを有することを特徴とする。
【００３９】
以上のような請求項７記載の発明では、昇降するトレーの端部が、トレーガイドのスリットに支持されるので、トレーの垂れ下がりが防止される。
【００４０】
また、本発明のディスクマガジンは、ディスクを装着した複数枚のトレーが収納され、上面部と下面部とに分割可能なディスクマガジンにおいて、以下のような技術的特徴を有する。
【００４３】
請求項８記載の発明は、ディスクを装着した複数枚のトレーが収納され、上面部と下面部とに分割可能なディスクマガジンにおいて、前記トレーは、前記ディスクマガジン内をスライド移動可能に設けられ、前記ディスクマガジンの上面部及び下面部の少なくとも一方には、前記トレーの移動を規制する方向に前記トレーを付勢するトレースプリングが設けられていることを特徴とする。
【００４４】
以上のような請求項８記載の発明では、トレースプリングの付勢力によって、トレーのスライド移動が抑制されるので、振動によるトレーの飛び出しが防止される。
【００４７】
請求項９記載の発明は、ディスクを装着した複数枚のトレーが収納され、上面部と下面部とに分割可能なディスクマガジンにおいて、前記トレーは、前記ディスクマガジン内をスライド移動可能に設けられ、前記トレーには、ディスクを保持するディスク保持位置と、ディスクを解放するディスク解放位置との間を移動可能なディスク保持部材が、ディスクの周縁に複数設けられ、前記ディスク保持部材は、単一のリンク部材によって同期可能に設けられていることを特徴とする。
【００４８】
以上のような請求項９記載の発明では、トレーの周囲に対するディスクの保持及び解放が単一のリンク部材を駆動することによって実現できるので、ターンテーブル上に装着されたディスクをトレーから解放するための機構を簡略化することができる。
【００４９】
請求項１０記載の発明は、ディスクを装着した複数枚のトレーが収納され、上面部と下面部とに分割可能なディスクマガジンにおいて、前記トレーは、前記ディスクマガジン内をスライド移動可能に設けられ、前記トレーには、ディスクを保持するディスク保持位置と、ディスクを解放するディスク解放位置との間を移動可能なディスク保持部材が、ディスクの周縁に複数設けられ、前記ディスク保持部材をディスク解放位置へ移行させるディスクロックレバーが、手動により移動可能に設けられていることを特徴とする。
【００５０】
以上のような請求項１０記載の発明では、ディスクロックレバーを手動で移動させることによって、ディスク保持部材をディスク周囲から退避させることができるので、ディスクマガジンに対するディスク保持の確保とディスクの挿入、排出の容易化を両立させることができる。
【００５１】
請求項１１記載の発明は、ディスクを装着した複数枚のトレーが収納され、上面部と下面部とに分割可能なディスクマガジンにおいて、前記トレーは、前記ディスクマガジン内をスライド移動可能に設けられ、前記トレーには、ディスクを保持するディスク保持位置と、ディスクを解放するディスク解放位置との間を移動可能なディスク保持部材が、ディスクの周縁に複数設けられ、前記ディスク保持部材をディスク解放位置へ移行させるディスクロックレバーが、手動により移動可能に設けられ、前記ディスクロックレバーの移動端に、前記トレーのスライド移動を規制する規制位置と前記トレーを解放する解放位置との間を移動可能なトレーロックリンクが設けられていることを特徴とする。
【００５２】
以上のような請求項１１記載の発明では、トレーロックリンクは、トレーの飛び出しを防止するとともに、ディスクロックレバーの移動端に設けられることによって、ディスクロックレバーの外れを防止する。
【００５３】
請求項１２記載の発明は、ディスクを装着した複数枚のトレーが収納され、上面部と下面部とに分割可能なディスクマガジンにおいて、前記トレーは、前記ディスクマガジン内をスライド移動可能に設けられ、前記上面部と前記下面部とが合体した状態において、その側面に開口部が形成されるように、前記上面部及び前記下面部の周縁には、間隔を空けて側壁が形成されていることを特徴とする。
【００５４】
以上のような請求項１２記載の発明では、側壁を一部省略して開口部を設けることによって、小形のディスクマガジンを構成することができる。
【００５５】
【発明の実施の形態】
本発明の実施の形態を、図１〜図４２を参照して以下に説明する。
【００５６】
［１．実施の形態の構成］
１−１．全体構成
本実施の形態のディスク装置は、図１に示すように、ディスクマガジンの筐体１００が装着されるシャーシユニット１上に、以下のような複数のユニットを設けることによって構成されている。
【００５７】
▲１▼マガジン筐体１００を上下に分割し、その間の再生スペースを確保するマガジンシフトユニット２００
▲２▼目的のディスクＤを選択するアップダウンユニット３００
▲３▼アップダウンユニット３００上に設けられ、分割されたマガジン筐体１００の再生スペースに振り込まれるスイングユニット４００
▲４▼スイングユニット４００上に設けられ、光学ピックアップを備えたドライブユニット５００
▲５▼マガジン筐体１００の排出を行うマガジンイジェクトユニット６００（図１７参照）
以下、これらの構成を詳説する。
【００５８】
１−２．ディスクマガジンの構成
まず、ディスクマガジンの構成を、図２〜図７を参照して説明する。なお、図３〜図５中の上方を後方、図中の下方を前方とする。すなわち、図２に示すように、薄形のマガジン筐体１００は、その内部がディスクＤを個別に保持、収容する５枚のトレー１１０によって仕切られている。このマガジン筐体１００は、マガジン上面部１２０及びマガジン下面部１３０とに分割可能に設けられている。各部の構成は、以下の通りである。
【００５９】
▲１▼トレー
マガジン筐体１００内を仕切る各トレー１１０は、図３に示すように、略正方形状のプレートであり、ディスクＤの挿入口（図中矢印で示す）に対応する角には円弧状の丸みが形成されている。このトレー１１０の右側縁の後端近傍には、右方へ突出した第１のトレー支持爪１１１が形成されている。そして、トレー１１０の右側縁の前端近傍には、右方へ突出した第２のトレー支持爪１１２が形成されている。第２のトレー支持爪１１２の前方及び後方には、係止突起１１２ａが形成されている。さらに、トレー１１０の左側縁の前端近傍には、左方へ突出した第３のトレー支持爪１１３が形成されている。
【００６０】
トレー１１０における第１のトレー支持爪１１１に対応する角部には、第１のディスクキャッチ１１４及び第２のディスクキャッチ１１５が設けられている。第１のディスクキャッチ１１４は、その後端にディスク保持部１１４ａが設けられ、その中央部がトレー１１０に回動可能に取り付けられている。この第１のディスクキャッチ１１４の後部には、被押圧爪１１４ｂが形成されている。第２のディスクキャッチ１１５は、その後端に第１のディスクキャッチ１１４の前端が回動可能に連結され、その中央部がトレー１１０に回動可能に取り付けられ、その前端にディスク保持部１１５ａが設けられている。
【００６１】
さらに、トレー１１０における第３のトレー支持爪１１３に対応する角部近傍には、第３のディスクキャッチ１１６が設けられている。この第３のディスクキャッチ１１６は、その後端にディスク保持部１１６ａが設けられ、その前端がトレー１１０に回動可能に取り付けられている。
【００６２】
これらの第１〜３のディスクキャッチ１１４〜１１６は、ディスクキャッチリンク１１７によって連動可能に設けられている。このディスクキャッチリンク１１７は、Ｌ字形のプレートであり、そのＬ字形の角部を軸として、トレー１１０における第２のトレー支持爪１１２に対応する角部近傍に、回動可能に取り付けられている。ディスクキャッチリンク１１７の後端近傍は、第１及び第２のディスクキャッチ１１４，１１５の連結部分に回動可能に連結されている。また、ディスクキャッチリンク１１７の後端は右側に突出し、その先端には断面がコの字形のコの字部１１７ａが形成されている。さらに、ディスクキャッチリンク１１７の前端は、第３のディスクキャッチ１１６の後端近傍に回動可能に連結されるとともに、ねじりコイルばねであるキャッチスプリング１１８によって後方に付勢されている。
【００６３】
このようなディスクキャッチリンク１１７は、キャッチスプリング１１８によって付勢されているので、第１〜第３のディスクキャッチ１１４〜１１６は、そのディスク保持部１１４ａ〜１１６ａが、ディスクＤの縁を押圧する方向に付勢されている。なお、ディスクキャッチリンク１１４の回動は、トレー１１０に形成された規制溝１１７ｂによって、一定量に規制されている。
【００６４】
また、トレー１１０における円弧状部の両端には、切り込み１１０ａが形成され、円弧状部の後縁には、小さな直角三角形状の突出部１１０ｄが形成されている。そして、トレー１１０における第２のトレー支持爪１１２に対応する角部近傍には、円弧状の切欠部１１０ｂが形成されている。さらに、トレー１１０におけるディスク挿入口側以外の３つの角部近傍には、ディスクＤの周縁に当接するディスクガイド１１０ｃが形成されている。
【００６５】
▲２▼マガジン上面部
マガジン上面部１２０の構成を、図４を参照して説明する。すなわち、マガジン上面部１２０は、上面板１２１及び第１〜第３の上側スリット部１２２〜１２４によって構成されている。上面板１２１は、略正方形状のプレートであり、ディスクＤの挿入口（図中矢印で示す）に対応する角には円弧状の丸みが形成されている。この上面板１２１における円弧状部の両端には、切り込み１２１ａが形成されている。
【００６６】
第１〜第３の上側スリット部１２２〜１２４は、トレー１１０の第１〜第３のトレー支持爪１１１〜１１３に対応して形成されている。これらの第１〜第３の上側スリット部１２２〜１２４には、図６（Ａ）に示すように、各トレー１１０の第１〜第３のトレー支持爪１１１〜１１３がそれぞれ挿通されるスリット１２２ａ〜１２４ａが形成されている。スリット１２２ａ〜１２４ａの数は、トレー１１０の枚数と同数（本実施の形態では５つ）である。これらのスリット１２２ａ〜１２４ａのうち、最上段は、他段と比べて長く形成されている。
【００６７】
また、上面板１２１における第１〜第３の上側スリット部１２２〜１２４の近傍には、それぞれ下方に突出した凸部１２１ｂが形成されている。また、第２の上側スリット部１２３の後方には、トレー１１０の右側縁の係止突起１１２ａが当接する上側トレースプリング１２５が設けられている。そして、上面板１２１の前部には、垂直方向に貫通した小さな丸穴であるガイド穴１２６が、左右に二つ形成されている。さらに、上面板１２１における右側縁には、側壁１２７が設けられている。
【００６８】
▲３▼マガジン下面部
マガジン下面部１３０は、図５に示すように、上面板１２１と同様の形状で、切り込み１３１ａを有する下面板１３１によって構成されている。下面板１３１には、マガジン上面部１２０側の第１〜第３の上側スリット部１２２〜１２４に対応する位置に、それぞれトレー１１０をマガジン下面部１３０側に保持する第１〜第３の下側スリット部１３２〜１３４が設けられている。この第１〜第３の下側スリット部１３２に〜１３４には、図６（Ａ）に示すように、各トレー１１０の第１〜第３のトレー支持爪１１１〜１１３が挿通されるスリット１３２ａ〜１３４ａが、トレー１１０の枚数と同数形成されている。
【００６９】
このような第１〜第３の下側スリット部１３２〜１３４の５つのスリット１３２ａ〜１３４ａは、マガジン上面部１２０とマガジン下面部１３０とが合体した状態にあるときには、第１〜第３の上側スリット部１２２〜１２４のスリット１２２ａ〜１２４ａとともに、水平に連続したスリットを５段構成する。
【００７０】
そして、下面板１３１には、上面板１２１の三つの凸部１２１ｂがそれぞれ篏合する凹部１３１ｂが形成されている。さらに、下面板１３１の外底面には、後方の切り込み１３１ａの手前に、方形状の窪み１３１ｃが形成され、この切り込み１３１ａの右に、Ｌ字形の被ロック溝１３１ｄが形成されている。
【００７１】
また、下面板１３１における第２の下側スリット部１３３の近傍には、ディスク排出レバー１３５が設けられている。このディスク排出レバー１３５は、トレー１１０における切欠部１１０ｂに対応する位置に、回動可能に設けられ、ねじりコイルばね１３５ａによって、その先端がディスクＤを排出する方向とは逆の方向に付勢されている。さらに、第２の下側スリット部１３３の前方には、トレー１１０の係止突起１１２ａに当接する下側トレースプリング１３９が設けられている。
【００７２】
そして、図５及び図７に示すように、下面板１３１の第１の下側スリット部１３２の近傍には、ディスクロックレバー１３６及びトレーロックリンク１３７が設けられている。ディスクロックレバー１３６は、プレート部１３６ａ、押圧部１３６ｂ及び操作部１３６ｃによって構成されている。プレート部１３６ａには、Ｌ字形のスライド穴１３６ｄが形成され、下面板１３１側に固定されたピンが、このスライド穴１３６ｄに挿通されることによって、ディスクロックレバー１３６はＬ字状にスライド移動可能に設けられている。
【００７３】
プレート部１３６ａの後端には、垂直方向に立ちあげられた操作部１３６ｃが設けられている。この操作部１３６ｃの後面は、多数条の溝が形成され、マガジンの後部から露出している。そして、操作部１３６ｃの右端には、前方に突出した押圧部１３６ｂが設けられている。押圧部１３６ｂの先端は、第１のディスクキャッチ１１４の被押圧爪１１４ｂに接離可能に設けられている。そして、プレート部１３６ａは、ねじりコイルばね１３６ｅによって、図中の左方向に付勢されているので、操作部１３６ｃに外力が加わらない状態においては、押圧部１３６ｂが被押圧爪１１４ｂに当接し、第１のディスクキャッチ１１４及び第２のディスクキャッチ１１５の回動がロックされている。
【００７４】
トレーロックリンク１３７は、下面板１３１に回動可能に設けられたプレートで、その回動により端部がトレー１１０の右後端に係脱可能に設けられている（図３９参照）。そして、このトレーロックリンク１３７は、ねじりコイルばね１３７ａによって、図中の右方向に付勢されている。また、トレーロックリンク１３７は、ディスクロックレバー１３６の可動範囲端に配置され、ディスクロックレバー１３６の右方向への移動を一定範囲に規制している。そして、下面板１３１には、シャーシユニット１側に設けられたトレーロック解除爪４（図３９参照）が挿通される解除爪ガイド１３８が形成されている。さらに、下面板１３０における前縁の左右と、右側縁の前端には、側壁１３０ａが設けられている。
【００７５】
１−３．マガジンシフトユニット
上記のような構成のマガジン上面部１２０を持ち上げて、マガジン筐体１００を分割するマガジンシフトユニット２００の構成を、図８〜図１６に従って説明する。なお、図８の上方を後方、下方を前方とする。このマガジンシフトユニット２００は、マガジンホルダー２１０、円筒カム２２０、シンクロギア２３０、マガジンシフトプレート２４０等によって構成されている。各部の構成は、以下の通りである。
【００７６】
▲１▼マガジンホルダー
マガジンホルダー２１０は、図８〜１０に示すように、マガジン上面部１２０の上面板１２１及びその両脇を覆うように、平板を断面コの字状に屈曲した部材であり、上面がマガジン上面部１２１とほぼ同様の形状に形成されている。このマガジンホルダー２１０は、シャーシユニット１内に、上下にスライド移動可能に設けられている。
【００７７】
シャーシユニット１の前部には、マガジンホルダー２１０の前端を囲むように、枠状のマガジン挿入口２が設けられている。このマガジン挿入口２の天井側には、下方に垂直に突出したガイドシャフト３が、左右に１本ずつ固定されている。そして、マガジンホルダー２１０の上面には、マガジンホルダー２１０が上下動した際に、上記の２本のガイドシャフト３がそれぞれ非接触で挿通する２つの挿通穴２１０ａが形成されている。なお、ガイドシャフト３及び挿通穴２１０ａは、マガジンホルダー２１０内に完全に装着されたマガジン上面部１２０の、ガイド穴１２６に対応する位置に設けられている。また、マガジンホルダー２１０の左右の側面の内側には、挿入されたマガジン上面部１２０の上面板１２１を把持する上側把持爪２１０ｂが設けられている。
【００７８】
一方、シャーシユニット１におけるマガジン挿入口２の左右の内側面には、挿入されたマガジン下面部１３０の下面板１３１を把持する下側把持爪２ａが設けられている。なお、マガジン筐体１００が挿入されるマガジンホルダー２１０の前端と、マガジン挿入口２の底面の前端には、外側に開いた返り部２１０ｃ，２ｂが形成されている。
【００７９】
そして、図１１及び図１２に示すように、マガジンホルダー２１０の右側面には、２つのホルダーガイドピン２１１が設けられている。この２つのホルダーガイドピン２１１は、シャーシユニット１の右側面に垂直方向に２列形成された右側ホルダーガイド溝１ａに、スライド移動可能に挿通されている。
【００８０】
一方、図１３及び図１４に示すように、マガジンホルダー２１０の左側面には、１つのホルダーガイドピン２１１が設けられている。この１つのホルダーガイドピン２１１は、マガジン挿入口２に垂直方向に１列形成された左側ホルダーガイド溝２ｃに、スライド移動可能に挿通されている。
【００８１】
また、マガジンホルダー２１０の左側面には、Ｘ字状に交差配置された２枚のクロスプレート２１３が設けられている。このクロスプレート２１３は、その中心が互いに回動可能に連結され、それぞれの上端がマガジン挿入口２の左側面上部に回動可能に取り付けられている。また、クロスプレート２１３のそれぞれの下端は、マガジンホルダー２１０の左側面に回動可能に取り付けられている。これら２枚のクロスプレート２１３のそれぞれの後方の端部は、マガジン挿入口２及びマガジンホルダー２１０の左側面に、一定量スライド移動可能に設けられている。このため、クロスプレート２１３は、図１４に示すように、マガジンホルダー２１０の上下動に従って、高さ方向に伸縮する構成となっている。
【００８２】
さらに、マガジンホルダー２１０の後部には、図１３及び図１４に示すように、トレーガイド２１２が設けられている。このトレーガイド２１２は、トレー１１０の数に対応する櫛歯状のスリット２１２ａが形成された垂直方向の部材である。それぞれのスリット２１２ａには、移動した各トレー１１０の突出部１１０ｄが入る構成となっている。
【００８３】
▲２▼円筒カム
円筒カム２２０は、図８〜図１０に示すように、シャーシユニット１におけるマガジン挿入口２の左脇に、垂直方向の軸を中心に回動可能に設けられている。円筒カム２２０の周囲には、らせん状カム２２０ａが形成され、このらせん状カム２２０ａには、マガジンホルダー２１０のホルダーガイドピン２１１が係合している。また、円筒カム２２０の下部の周囲には、大平歯車２２０ｂが形成されている。この大平歯車２２０ｂは、シャーシユニット１に取り付けられたマガジンシフトモータ２２１の駆動力を伝える伝達ギア２２１ａに係合している。さらに、円筒カム２２０の最下端部には、小平歯車である円盤状ギア２２０ｃが形成されている。
【００８４】
▲３▼シンクロギア
シンクロギア２３０は、図８に示すように、シャーシユニット１の外底面に設けられた第１の円盤部２３１及び第２の円盤部２３２によって構成されている。第１の円盤部２３１及び第２の円盤部２３２は、左右に隣接して配置され、それぞれその中心を軸として回動可能に設けられている。第１の円盤部２３１には、円筒カム２２０の円盤状ギア２２０ｃに係合する円弧状ギア２３１ａが形成されるとともに、この円弧状ギア２３１ａに対向する位置に、円弧状ギア２３１ｂが形成されている。
【００８５】
第２の円盤部２３２には、第１の円盤部２３１の円弧状ギア２３１ｂに係合する円弧状ギア２３２ａが形成されるとともに、この円弧状ギア２３２ａに対向する位置に円弧状ギア２３２ｂが形成されている。なお、第１の円盤部２３１及び第２の円盤部２３２は、円弧状ギア２３１ｂ，２３２ａの係合が外れないように、その回動量が規制されている。
【００８６】
▲４▼マガジンシフトプレート
シャーシユニット１の右側面には、図８、図１５及び図１６に示すように、マガジンシフトプレート２４０が、前後にスライド移動可能に設けられている。このマガジンシフトプレート２４０は、その水平面がシャーシユニット１の底面に沿って設けられ、この水平面の左側縁には、マガジンシフト用ラック２４１が形成されている。そして、マガジンシフト用ラック２４１は、第２の円盤部２３２における円弧状ギア２３２ｂに係合している。
【００８７】
また、マガジンシフトプレート２４０の右側は、シャーシユニット１の右側面に沿って立ち上げられた垂直面となっている。この垂直面には、図１６に示すように、前方から後方に従って低くなるように傾斜した２本の傾斜カム２４２が互いに平行に形成されている。そして、この傾斜カム２４２には、マガジンホルダー２１０のホルダーガイドピン２１１が、スライド移動可能に挿通されている。さらに、マガジンシフトプレート２４０の垂直面には、右方に水平に突出した右フローティングロック爪２４３が設けられている。
【００８８】
１−４．アップダウンユニット
再生するディスクＤを選択するために、マガジン筐体１００の分割位置を決定するアップダウンユニット３００の構成を、図１７〜図３０に従って説明する。なお、図１７の上方を後方、下方を前方とする。このアップダウンユニット３００は、ローディングギア３１０、後シフトプレート３２０、リンクプレート３３０、左シフトプレート３４０、アップダウンシャーシ３５０、駆動ユニット３６０等によって構成されている。各部の構成は、以下の通りである。
【００８９】
▲１▼ローディングギア
ローディングギア３１０は、図１７に示すように、シャーシユニット１の底面の左後方に設けられている。このローディングギア３１０は、平歯車であり、シャーシユニット１に取り付けられたローディングモータ３１１の駆動力が、伝達ギア群３１１ａを介して伝達される構成となっている。
【００９０】
▲２▼後シフトプレート
シャーシユニット１における後方側面には、図１７〜図１９に示すように、後シフトプレート３２０が左右にスライド移動可能に設けられている。この後シフトプレート３２０は、その水平面がシャーシユニット１の底面に沿って設けられ、この水平面の前縁には、アップダウンシフト用ラック３２１が形成されている。そして、アップダウンシフト用ラック３２１は、後シフトプレート３２０のスライド移動に従って、ローディングギア３１０の下段ギア３１０ｃに係脱する高さに位置している。
【００９１】
また、後シフトプレート３２０は、シャーシユニット１の後面に沿って立ち上げられた垂直面となっている。この垂直面には、図１８及び図１９に示すように、左から右（正面側から見て右から左）に従って低くなる１条の後部階段状カム３２２が形成されている。
【００９２】
▲３▼リンクプレート
リンクプレート３３０は、図１７に示すように、扇形の部材であり、その頂点部３３１が、シャーシユニット１の外底面に回動可能に取り付けられている。また、リンクプレート３３０の円弧部分の右端部は、後シフトプレート３２０の水平面の左端部に、回動可能に連結されている。さらに、リンクプレート３３０の円弧部分の中間部近傍には、後方に水平に突出した後フローティングロック爪３３２が設けられている。
【００９３】
▲４▼左シフトプレート
左シフトプレート３４０は、図１７、図２０及び図２１に示すように、シャーシユニット１の左方側面に前後にスライド移動可能に設けられている。この左シフトプレート３４０は、その水平面がシャーシユニット１の底面に沿って設けられ、この水平面の後端には、リンクプレート３３０の円弧部分の左端部が、回動可能に連結されている。
【００９４】
また、左シフトプレート３４０の左側は、シャーシユニット１の後面に沿って立ち上げられた垂直面となっている。この垂直面には、図２０及び図２１に示すように、後方から前方に従って低くなる２条の左部階段状カム３４１が形成されている。さらに、左シフトプレート３４０の垂直面には、左方に水平に突出した左フローティングロック爪３４３が設けられている。
【００９５】
▲５▼アップダウンシャーシ
アップダウンシャーシ３５０は、図１７に示すように、シャーシユニット１の後辺から左辺に渡る略Ｌ字形の水平面のプレートである。このアップダウンシャーシ３５０は、以下のような構成によって、シャーシユニット１内に上下にスライド移動可能に設けられている。すなわち、図１８に示すように、アップダウンシャーシ３５０の後部にはシャーシユニット１の後側面に沿った垂直面が形成され、この垂直面に１つのアップダウンガイドピン３５１が設けられている。このアップダウンガイドピン３５１は、後シフトプレート３２０の後部階段状カム３２２に、スライド移動可能に挿通されている。
【００９６】
また、図２０に示すように、アップダウンシャーシ３５０の左部には、２つのアップダウンガイドピン３５１が設けられている。このアップダウンガイドピン３５１は、左シフトプレート３４０の左部階段状カム３４１に、それぞれスライド移動可能に挿通されている。
【００９７】
▲６▼駆動ユニット
上記のようなアップダウンシャーシ３５０上には、図２２に示すように、トレー１１０を移動させる駆動ユニット３６０が設けられている。この駆動ユニット３６０は、駆動モータ３６１、Ａギア〜Ｉギア３６２ａ〜３６２ｉ、メインラック３６３、第１のカムギア３６４、第２のカムギア３６５、トレースライドリンク３６６、トレースライダ３６７及びディスクキャッチレバーベース３６８等によって構成されている。
【００９８】
Ａギア〜Ｅギア３６２ａ〜３６２ｅは、図２２〜図２５に示すように、駆動モータ３６１の駆動力をメインラック３６３に伝達する複数のギアである。メインラック３６３は、左右にスライド移動可能に設けられた部材であり、図２５に示すように、中間に間欠を有する間欠ラック部３６３ａと連続した連続ラック部３６３ｂが二重に設けられている。そして、間欠ラック部３６３ａにはＦギア３６２ｆが係脱可能に設けられ、Ｅギア３６２ｅには連続ラック部３６２ｂが係合している。このメインラック３６３には、間欠ラック部３６３ａ及び連続ラック部３６３ｂと平行な直線状の隆起縁３６３ｃが設けられている。さらに、隆起縁３６３ｃの中間部には、直線状の陥没縁３６３ｄが形成されている。そして、Ｆギア３６２ｆの回動はＧギア３６２ｇ〜Ｉギア３６２ｉを介して、第１のカムギア３６４及び第２のカムギア３６５に伝達される構成となっている。
【００９９】
第１のカムギア３６４は、図２６（Ａ）〜（Ｄ）、図２７（Ｅ）〜（Ｈ）に示すように、円盤状の平歯車であり、その上面には、上側トレースライドカム溝３６４ａが形成され、その下面には、下側トレースライドカム溝３６４ｂが形成されている。上側トレースライドカム溝３６４ａは、半円の小径部と半円の大径部とが連続して形成されたカム溝である。下側トレースライドカム溝３６０ｂは、円周縁に設けられた導入部と、中心の近傍を通って対向する円周側に延長された中間部と、小径の円弧部とが連続して形成されたカム溝である。
【０１００】
このような第１のカムギア３６４の近傍には、トレースライドリンク３６６が設けられている。トレースライドリンク３６６は、その後端がアップダウンシャーシ３５０に水平方向に回動可能に取り付けられている。このトレースライドリンク３６６の後端近傍には、第１のカムギア３６４の上側トレースライドカム溝３６４ａに挿通されたピン３６６ａが設けられている。
【０１０１】
また、トレースライドリンク３６６には、トレースライダ３６７がスライド移動可能に設けられている。このトレースライダ３６７とトレースライドリンク３６６との間には、図３０（Ｉ）〜（Ｌ）に示すように、引張コイルばね３６９が取り付けられている。そして、トレースライダ３６７の後端近傍には、第１のカムギア３６４の下側トレースライドカム溝３６４ｂに挿通されたピン３６７ａが設けられている。さらに、トレースライダ３６７の前端には、トレー１１０の第１のトレー支持爪１１１に係脱するコの字状の把持部３６７ｂが設けられている。
【０１０２】
一方、第２のカムギア３６５は、図２２に示すように、第１のカムギア３６４と同軸に回動可能に設けられた円盤状の平歯車である。この第２のカムギア３６５の上面には、図２８（Ａ）〜（Ｄ）、図２９（Ｅ）〜（Ｈ）に示すように、ディスクキャッチカム溝３６５ａが形成されている。このディスクキャッチカム溝３６５ａは、中心に近い円弧状の小径部と、外縁に近い円弧状の大径部とが連続して形成されたカム溝である。
【０１０３】
このような第２のカムギア３６５の近傍には、ディスクキャッチレバーベース３６８が設けられている。このディスクキャッチレバーベース３６８は、その後端がアップダウンシャーシ３５０にトレースライドリンク３６６と同軸に回動可能に設けられている。このディスクキャッチレバーベース３６８の後端近傍には、第２のカムギア３６５のディスクキャッチカム溝３６５ａに挿通されたピン３６８ａが設けられている。また、ディスクキャッチレバーベース３６８は、その回動軸に沿って上下動可能に設けられ、圧縮コイルばね３６８ｂによって下方に付勢されている。
【０１０４】
さらに、ディスクキャッチレバーベース３６８には、図３０（Ｉ）〜（Ｌ）に示すように、ディスクキャッチレバー３７０の後端が上下に回動可能に設けられている。このディスクキャッチレバー３７０は、ねじりコイルばね３７０ａによって、その角度がディスクキャッチレバーベース３６８と同一水平面上に位置するように保持されている。さらに、ディスクキャッチレバー３７０の先端には、ディスクキャッチリンク１１７のコの字部１１７ａを押圧する押圧爪３７０ｂが設けられている。
【０１０５】
１−５．スイングユニット
分割されたマガジン筐体１００の間に振り込まれるスイングユニット４００を、図２２、図３１〜図３４に従って説明する。なお、図２２の上方を後方、下方を前方とする。このスイングユニット４００は、振り込み駆動機構４１０及びスイングシャーシ４２０等によって構成されている。各部の構成は、以下の通りである。
【０１０６】
▲１▼振り込み駆動機構
振り込み駆動機構４１０は、図３１（Ａ），（Ｂ）及び図３２（Ｃ），（Ｄ）に示すように、パワープレート４１１、パワーラック４１２、Ｊギア３６２ｊ、ばね部材４１３、第１のギアロックリンク４１４、第２のギアロックリンク４１５によって構成されている。パワープレート４１１は、図２２に示すように、アップダウンシャーシ３５０に、左右にスライド移動可能に設けられた略長方形状のプレートである。このパワープレート４１１の左端部には、前後方向の長穴であるガイド穴４１１ａが形成されている。
【０１０７】
また、パワーラック４１２は、アップダウンシャーシ３５０におけるパワープレート４１１の後方に、左右にスライド移動可能に設けられている。このパワーラック４１２のラック部４１２ａは、Ｃギア３６２ｃの回動が伝達されるＪギア３６２ｊに係脱可能に設けられている。さらに、パワーラック４１２の中間部には、ラック部４１２ａと平行な隆起縁４１２ｂが形成されている。
【０１０８】
第１のギアロックリンク４１４は、略三角形状のプレートで、その右頂点部近傍が、アップダウンシャーシ３５０に回動可能に取り付けられた回動軸４１４ａとなっている。第１のギアロックリンク４１４における左前方の頂点部近傍には、メインラック３６３の隆起縁３６３ｃに当接する前方当接円柱４１４ｂが設けられている。また、第１のギアロックリンク４１４における左後方の頂点部近傍には、第２のギアロックリンク４１５の前縁に当接する後方当接円柱４１４ｃが設けられている。
【０１０９】
第２のギアロックリンク４１５は、方形状のプレートの右端に延長部を設けた部材であり、延長部の端部が、アップダウンシャーシ３５０に回動可能に取り付けられた回動軸４１５ａとなっている。第２のギアロックリンク４１５における方形部の左後方隅には、パワーラック４１２の隆起縁４１２ａに当接するロック円柱４１５ｂが設けられている。
【０１１０】
ばね部材４１３は、金属線の両端を直線部４１３ａとし、中間を円形状に湾曲させた部材である。このばね部材４１３は、その湾曲部の頂点が、パワープレート４１１に支持されている。また、パワーラック４１２の中間部近傍には規制部４１２ｃが突出して設けられているが、この規制部４１２ｃは、パワーラック４１２のスライド移動に従って二つの直線部４１３ａのいずれかに当接して付勢するように、ばね部材４１３の二つの直線部４１３ａの間に位置している。なお、ばね部材４１３の弾性力は、二つの直線部４１３ａに何等の付勢力も加わっていない場合には、直線部４１３ａが互いに平行となるように設定されている。
【０１１１】
▲２▼スイングシャーシ
スイングシャーシ４２０は、図２２に示すように、アップダウンシャーシ３５０上に設けられた略三日月形状のプレートである。このスイングシャーシ４２０は、その右端部の近傍に設けられた振り込み回動軸４２１を中心に、回動可能に設けられている。そして、スイングシャーシ４２０の右端部には、パワープレート４１１のガイド穴４１１ａにスライド移動可能に挿通された連結ピン４２２が設けられている。また、スイングシャーシ４２０の後端近傍には、ガイドピン４２３が設けられている。これらの連結ピン４２２及びガイドピン４２３は、アップダウンシャーシ３５０に形成された円弧状の振り込み回動ガイド穴３５２，３５３にスライド移動可能に挿通されている。さらに、スイングシャーシ４２０の左測縁には、左当接爪４２４ａが形成され、前端部には右当接爪４２４ｂが形成されている。
【０１１２】
一方、図２０及び図２１に示すように、左シフトプレート３４０には、スイングシャーシ４２０が振り込み回動前にあるときに、左当接爪４２４ａが係合するロック用スリット３４２が設けられている。また、図１１及び図１２に示すように、シャーシユニット１の右側面には、スイングシャーシ４２０が振り込まれた際に、右当接部４２４ｂが係合するＶ字スリット６が設けられている。このＶ字スリット６は、スイングシャーシ４２０の高さの変化に対応して、複数段形成されている。そして、スイングシャーシ４２０がＶ字スリット６に係合した後にスイングシャーシ４２０がロックされるように、マガジンシフトプレート２４０にはロック用穴２４４が設けられている。さらに、図２２に示すように、アップダウンシャーシ３５０には、スイングシャーシ４２４が振り込み回動前に、スイングシャーシ４２４の後左端部が当接するストッパ３５４が設けられている。
【０１１３】
１−６．ドライブユニット
選択されたディスクＤの再生を行うドライブユニット５００を、図３３（Ａ）〜（Ｃ）に従って説明する。このドライブユニット５００は、ターンテーブル５２０、リリース機構５１０、光学ピックアップ５３０、送り機構５４０等によって構成されている。各部の構成は、以下の通りである。
【０１１４】
▲１▼ターンテーブル
スイングシャーシ４２０上には、ターンテーブル５２０が取り付けられている。このターンテーブル５２０は、スピンドルモータ５２１によって回転可能に設けられている。ターンテーブル５２０の回転軸の周囲には、図３４（Ａ）〜（Ｃ）に示すように、糸巻形状の筒体であるスリーブ５２２が上下に移動可能に設けられている。このスリーブ５２２は、スプリング５２３によって上方に付勢されているが、スリーブ５２２の上面は、センターストッパ５２２ａによって規制されているので、スリーブ５２２の上下動は一定量に制限されている。ターンテーブル５２０におけるスリーブ５２２の周囲には、ディスクＤの中央の穴に挿通されるリング状のディスク挿通部５２４が形成されている。
【０１１５】
ディスク挿通部５２４の内側には、挿通されたディスクＤの穴に係留して保持するディスクホック５２５が、均等な間隔で３つ設けられている。ディスクホック５２５の上端外側には、ディスクＤの穴に係留するように隆起した係留部５２５ａが形成されている。このディスクホック５２５は、その下端部外側を支点５２５ｂとして回動可能に設けられている。さらに、ディスクホック５２５の内側端部の下面には、スリーブ５２２の上面端部が下方から当接しているので、ディスクホック５２５は、その係留部５２５ａが外側に開くように、スプリング５２３によって付勢されている。
【０１１６】
▲２▼リリース機構
リリース機構５１０は、上記のようなターンテーブル５２０上のディスクＤのチャッキングを解除する機構である。すなわち、スイングシャーシ４２４上には、ターンテーブル５２０の下方に、リリースプレート５１１が水平方向にスライド移動可能に設けられている。このリリースプレート５１１には、スリーブ５２２の下側の傾斜側面に、光学ピックアップ５３０側から当接するリリース端部５１１ａが設けられている。また、リリースプレート５１１は、一端がスイングシャーシ４２４上の光学ピックアップ５３０近傍に固定された引張コイルばね５１２の他端に取り付けられているので、光学ピックアップ５３０側に付勢されている。
【０１１７】
▲３▼光学ピックアップ及び送り機構
また、図３３（Ａ）〜（Ｃ）に示すように、スイングシャーシ４２０上には、光学ピックアップ５３０及びその送り機構５４０が搭載されている。光学ピックアップ５３０は、ディスクＤに記録された情報を光学式に読み取るためのレンズ５３１等を備えたヘッドである。送り機構５４０は、光学ピックアップ５３０を、ターンテーブル５２０上のディスクＤの径方向にスライド移動させる機構である。すなわち、互いに平行に配置されたガイドレール５４１及び送りねじ５４２に、光学ピックアップ５３０がスライド移動可能に設けられている。そして、送りねじ５４２は、送りモータ５４３によって回転可能な構成となっている。
【０１１８】
さらに、光学ピックアップ５３０におけるターンテーブル５２０の近傍には、ディスクの最内周信号読取り位置を検出する内周検出スイッチが設けられ、スイッチノブ５３２が突出している。このスイッチノブ５３２は、光学ピックアップ５３０の移動に従って、スイングシャーシ４２０上に設けられたスイッチスプリング５３３に接離することにより、ディスク最内周を検出可能に設けられている。なお、光学ピックアップ５３０は、更にディスク内周方向に移動可能に設けられ、これに応じてスイッチスプリング５３３は弾性変形可能に設けられている。また、光学ピックアップ５３０は、その移動に従って、そのターンテーブル５２０側の側面が、リリースプレート５１１に対して接離可能に設けられている。
【０１１９】
１−７．マガジンイジェクトユニット
マガジン筐体１００をシャーシユニット１から排出するためのマガジンイジェクトユニット６００を、図１７及び図３５に従って以下に説明する。なお、図１７の上方を後方、下方を前方とする。このマガジンイジェクトユニット６００は、ローディングプレート６１０、ローディングアーム６２０、押し出し部材６３０、パワーロックリンク６４０及びマガジンロック６５０によって構成されている。各部の構成は、以下の通りである。
【０１２０】
▲１▼ローディングプレート
ローディングプレート６１０は、図３５に示すように、シャーシユニット１の外底面に、左右にスライド移動可能に設けられたプレートである。ローディングプレート６１０の後縁には、ローディングギア３１０に係合する小ラック６１１が形成されている。そして、ローディングプレート６１０の後部には、横Ｌ字形のガイド穴であるパワーロックガイド６１５が形成されている。また、ローディングプレート６１０の前部には、切抜き部６１２が形成されている。この切抜き部６１２は右半部が左右方向の水平部６１２ａ、左半分が前方に傾斜した傾斜部６１２ｂとなっている。さらにローディングプレート６１０の前縁には、フック６１３が形成されている。
【０１２１】
▲２▼ローディングアーム
ローディングアーム６２０は、図１７に示すように、シャーシユニット１の外底面におけるローディングプレート６１０と重なる位置に、回動軸６２１を中心に回動可能に取り付けられている。このローディングアーム６２０の左端部には、ローディングプレート６１０の切抜き部６１２に係合した凸部６２２が設けられている。ローディングアーム６２０における回動軸６２１の近傍には、フック６２３が設けられている。ローディングプレート６１０のフック６１３と、ローディングアーム６２０のフック６２３との間には、引張コイルばね６１４の両端が係合している。そして、ローディングアーム６２０の右端は、押し出し部材６３０の後端に、回動可能に連結されている。
【０１２２】
▲３▼押し出し部材
押し出し部材６３０は、シャーシユニット１に、前後にスライド移動可能に設けられている。この押し出し部材６３０の前端部には、マガジン筐体１００が挿入された際に、下面板１３１の窪み１３１ｃに係合するキャッチ部６３１が設けられている。
【０１２３】
▲４▼パワーロックリンク
さらに、図１７及び図３５に示すように、ローディングプレート６１０のスライド移動を後シフトプレート３２０に伝達するパワーロックリンク６４０が設けられている。このパワーロックリンク６４０は、くの字形状のプレートであり、シャーシユニット１の底面の左後部に、回動軸６４３を中心に回動可能に設けられ、その後端のガイドピン６４４が後シフトプレート３２０に回動可能に連結されている。パワーロックリンク６４０の中間の角部にはガイドピン６４１が設けられ、このガイドピン６４１は、ローディングプレート６１０のパワーロックガイド６１５に挿通されている。さらに、パワーロックリンク６４０の右端には、ねじりコイルばね６４２の左端が回動可能に連結され、このねじりコイルばね６４２の右端は、シャーシユニット１の底面に回動可能に取り付けられている。
【０１２４】
▲５▼マガジンロック
マガジンロック６５０はへの字形のプレートであり、シャーシユニット１の底面の右後部に、回動軸６５１を中心に回動可能に設けられている。このマガジンロック６５０の前端には、下面板１３１の被ロック溝１３１ｄに係脱するロック突起６５２が設けられている。また、マガジンロック６５０の後端にはガイドピン６５３が設けられ、このガイドピン６５３は、アップダウンシフト用ラック３２１の水平面に形成されたロックガイド孔３２３に挿通されている。なお、ロックガイド孔３２３は、左右の直線上のガイド穴であり、その左端部が前方にずれている。
【０１２５】
１−８．フローティングロック機構
上記のような機構を備えたシャーシユニット１を、ディスクＤの再生時にはダンパー支持によるフローティング状態とし、待機時にはフローティングロック状態とするフローティングロック機構を説明する。すなわち、図１に示すように、シャーシユニット１は、これよりも大きい筐体であるケースユニット１０内に収容されている。このケースユニット１０における左の内側面には、前後に一つづつのダンパー１１が固定され、右の内側面には、中央に一つのダンパー１１が固定されている。シャーシユニット１は、これらのダンパー１１によって、その周囲がフローティング支持されている。
【０１２６】
また、ケースユニット１０の左右及び後方の内側面には、内側に隆起した左フローティングロックプレート１２、右フローティングロックプレート１３及び後フローティングロックプレート１４が設けられている。これらのフローティングロックプレートには、それぞれ、左ロックスリット１２ａ、右ロックスリット１３ａ及び後ロックスリット１４ａが形成されている。
【０１２７】
一方、シャーシユニット１側に設けられた左シフトプレート３４０、マガジンシフトプレート２４０及びリンクプレート３３０には、左ロックスリット１２ａ、右ロックスリット１３ａ及び後ロックスリット１４ａに、それぞれ係脱する左フローティングロック爪３４３、右フローティングロック爪２４３及び後フローティングロック爪３３２が形成されている。
【０１２８】
また、ケースユニット１０の内側面には、左ロックスリット１２ａ及び右ロックスリット１３ａに係合した左フローティングロック爪３４３及び右フローティングロック爪２４３が当接する左サイドプレート１２ｂ及び右サイドプレート１３ｂが設けられている。さらに、シャーシユニット１の四隅と、ケースユニット１０の四隅との間には、それぞれ引張コイルばねであるダンパースプリング１５が設けられている。
【０１２９】
なお、図示はしないが、シャーシユニット１には、マガジンシフトモータ２２１、ローディングモータ３１１、駆動モータ３６１、スピンドルモータ５２１、送りモータ５４３等の起動を切り換えるためのスイッチやセンサー類が、以下のように配置されている。
【０１３０】
すなわち、シャーシユニット１には、ローディングアーム６２０の端部に当接することによって、挿入されたマガジン筐体１００が引き込み開始位置に来たことを検出するローディングスタートスイッチと、マガジン筐体１００の排出完了を検出するイジェクトエンドスイッチが設けられている。
【０１３１】
また、マガジンホルダー２１０の高さは、マガジン挿入排出位置（最低位置）、ディスクチャッキング位置（中間位置）、マガジン全開位置（最高位置）の３段階に設定されている。そして、シャーシユニット１には、これらのマガジンホルダー２１０の位置に対応して、マガジンシフトプレート２４０の各位置を検出可能となるように、最低位置を検出するマガジンクローズスイッチ、中間位置を検出するチャッキングスイッチ、最高位置を検出するマガジンオープンスイッチが設けられている。さらに、シャーシユニット１には、アップダウンシャーシ３５０の昇降を検出するフォトセンサが設けられている。
【０１３２】
［２．実施の形態の作用］
以上のような本実施の形態の動作の概略は、次のＡ〜Ｍの通りである。
【０１３３】
［Ａ］ユーザがシャーシユニット１のマガジン挿入口２からマガジン筐体１００を挿入すると、マガジンイジェクトユニット６００によってマガジン筐体１００がシャーシユニット１内に引き込まれる（マガジンローディング動作）。
【０１３４】
［Ｂ］アップダウンユニット３００によってアップダウンシャーシ３５０を上昇させ、マガジン筐体１００の分割位置を選択する（ディスク選択動作）。
【０１３５】
［Ｃ］駆動ユニット３６０のトレースライダ３６７によってトレー１１０を移動させ、マガジン上面部１２０とマガジン下面部１３０とのロックを解除する（マガジンロック解除動作）。
【０１３６】
［Ｄ］マガジンシフトユニット２００によってマガジンホルダー２１０を上昇させてマガジン上面部１２０を持ち上げ、マガジン上面部１２０とマガジン下面部１３０とを上下に分割し、スイングユニット４００の振り込みスペースを確保する（マガジン分割動作）。
【０１３７】
［Ｅ］スイングユニット４００によって、マガジン上面部１２０とマガジン下面部１３０との間に、スイングシャーシ４２０を振り込む（スイングユニット振り込み動作）。
【０１３８】
［Ｆ］マガジンシフトユニット２００によってマガジンホルダー２１０を下降させ、マガジン上面部１２０内の最下段のトレー１１０に保持されたディスクＤを、ターンテーブル５２０上にセットする（ディスクチャッキング動作）。
【０１３９】
［Ｇ］マガジンシフトユニット２００によってマガジンホルダー２１０を上昇させ、ディスクＤの再生スペースを確保する（マガジン退避動作）。
【０１４０】
［Ｈ］光学ピックアップ５３０によって、ターンテーブル５２０上のディスクＤの再生を行う（ディスク再生動作）。
【０１４１】
［Ｉ］マガジンシフトユニット２００によってマガジンホルダー２１０を下降させて、ターンテーブル５２０上のディスクＤを再びトレー１１０によって保持した後、マガジンホルダー２１０を上昇させてターンテーブル５２０上からトレー１１０を解放する（ディスク再収納動作）。
【０１４２】
［Ｊ］スイングユニット４００によって、マガジン上面部１２０とマガジン下面部１３０との間から、スイングシャーシ４２０を振り出す（スイングユニット振り出し動作）。
【０１４３】
［Ｋ］マガジンシフトユニット２００によってマガジンホルダー２１０を下降させて、マガジン上面１２０とマガジン下面部１３０とを合体させる（マガジン合体動作）。
【０１４４】
［Ｌ］アップダウンシャーシ３５０を下降させて、初期位置に戻す（アップダウンシャーシ下降動作）。
【０１４５】
［Ｍ］マガジンイジェクトユニット６００によって、マガジン筐体１００をマガジン挿入口２から排出する（ディスク排出動作）。
【０１４６】
以下、これらの動作を詳説する。なお、以下の説明では、ディスクマガジン内の３段目のトレー１１０におけるディスクＤを選択した場合の動作例を説明するが、ディスク選択指令に応じて、階段状カム３２２，３４１の位置を調整して、アップダウンユニット３００の昇降位置を変えることによって、他段のトレー１１０も自由に選択することができる。
【０１４７】
２−１．マガジン挿入動作
▲１▼マガジン合体状態
シャーシユニット１に装着されるマガジン筐体１００は、図３６に示すように、マガジン上面部１２０とマガジン下面部１３０との分割が規制されたロック状態にある。すなわち、最上段の上側スリット部１２２ａ〜１２４ａは、図６（Ａ）に示すように、他段よりも長く形成され、これに挿通された最上段のトレー支持爪１１１〜１１３が、他段よりも長く形成されている。
【０１４８】
かかる構成となっているので、トレー１１０を移動させる前の状態、すなわち、全ての段のトレー支持爪１１１〜１１３が下側スリット部１３２ａ〜１３４ａの方に寄っている状態では、最上段のトレー支持爪１１１〜１１３のみが、上側スリット部１２２ａ〜１２４ａと下側スリット部１３２ａ〜１３４ａとの境界に跨がって位置し、その下段のトレー支持爪１１１〜１１３は、完全に下側スリット部１３２ａ〜１３４ａ側に入っている。
【０１４９】
このように最上段のトレー支持爪１１１〜１１３が、上側スリット部１２２ａ〜１２４ａと下側スリット部１３２ａ〜１３４ａとの境界に跨がることによって、両スリット部１２２ａ〜１２４ａ，１３２ａ〜１３４ａが上下方向にずれることが規制されるので、マガジン上面部１２０とマガジン下面部１３０とが上下に分割できないロック状態にある。
【０１５０】
また、各トレー１１０の右後端には、トレーロックリンク１３７の端部が係合している。そして、各トレー１１０の係止突起１１２ａには、上側トレースプリング１２５及び下側トレースプリング１３９が当接している。従って、トレー１１０は、その移動が規制され、ロック状態が保持されている。
【０１５１】
かかるマガジン筐体１００内には、各トレー１１０に対応してディスクＤが挿入され、それぞれのディスクＤが第１〜第３のディスクキャッチ１１４〜１１６のディスク保持部１１４ａ〜１１６によって保持されているので、ディスクＤの飛び出しは防止される。
【０１５２】
より具体的なディスクＤの挿入作業は、以下の通りである。すなわち、図７（Ｂ）に示すように、操作部１３６ｃを指で動かすことによって、ディスクロックレバー１３６を右方向にスライド移動させる。このディスクロックレバー１３６は、トレーロックリンク１３７の端部に当接することによって、その移動量が規制される。すると、第１のディスクキャッチ１１４の被押圧爪１１４ｂから押圧部１３６ｂが離れる方向に移動するので、第１のディスクキャッチ１１４及び第２のディスクキャッチ１１５の回動ロックが解除される。
【０１５３】
この状態で、ディスクＤを挿入すると、図３７に示すように、第１〜第３のディスクキャッチ１１４〜１１６が、そのディスク保持部１１４ａ〜１１６ａがディスクＤの縁に押されて退避するように回動しながら、ディスクＤが装着される。
【０１５４】
そして、ディスクロックレバー１３６から手を離すと、ねじりコイルばね１３６ｅの付勢力によって、ディスクロックレバー１３６が左方向に復帰する。すると、第１のディスクキャッチ１１４の被押圧爪１１４ｂが、押圧部１３６ｂを押圧するので、第１のディスクキャッチ１１４及び第２のディスクキャッチ１１５の回動がロックされる。従って、ディスク保持部１１４ａ〜１１６ａによってディスクＤの縁が保持され、ディスクＤの飛び出しが防止される。
【０１５５】
▲２▼初期状態
一方、ディスク装置は、マガジン筐体１００を挿入していない初期状態では、図１７に示すように、押し出し部材６３０が前方にあり、ローディングプレート６１０の小ラック６１１は、ローディングギア３１０に噛み合っている。また、後シフトプレート３２０のアップダウンシフト用ラック３２１は、ローディングギア３１０の右側にあり、非係合状態となっている。
【０１５６】
なお、マガジン筐体１００の挿入・排出時には、シャーシユニット１はフローティングロック状態にあり、ケースユニット１０に位置決めされているので、挿入・排出は容易となる。
【０１５７】
▲３▼マガジン筐体の挿入
この状態において、図１７に示すように、マガジン筐体１００を、その円弧状の隅が左後方となる方向で、シャーシユニット１のマガジン挿入口２から挿入すると、押し出し部材６３０のキャッチ部６３１が、下面板１３１に形成された窪み１３１ｃに係合する。また、図９に示すように、マガジン上面部１２０の左右の端部は、マガジンホルダー２１０とその上側把持爪２１０ｂとの間に挿入され、マガジン下面部１３０の左右の端部は、シャーシユニット１と下側把持爪２ａとの間に挿入される。
【０１５８】
▲４▼ローディング開始
さらに、マガジン筐体１００を後方に押し込むと、押し出し部材６２０が後方にスライド移動し、ローディングアーム６２０の左端を後方に押圧するので、ローディングアーム６２０が反時計方向に回動する。すると、ローディングアーム６２０の端部が、図示しないローディングスタートスイッチを押圧するので、ローディングモータ３１１が起動する。ローディングモータ３１１の駆動力は、伝達ギア群３１１ａを介して伝達され、ローディングギア３１０が反時計方向に回動する。
【０１５９】
上記のように、ローディングギア３１０は、ローディングプレート６１０の小ラック６１１に係合しているので、ローディングギア３１０の反時計方向の回転によって、ローディングプレート６１０が右方向にスライド移動する。すると、図３８に示すように、ローディングアーム６２０の凸部６２２が、ローディングプレート６１０の切抜き部６１２の傾斜部６１２ａに移動するので、ローディングアーム６２０が、さらに反時計方向に回動し、押し出し部材６３０を後方に移動させる。従って、窪み１３１ｃに係合したキャッチ部６３１が、マガジン筐体１００をさらに後方に引き込む。
【０１６０】
また、ローディングプレート６１０が右方向にスライド移動すると、パワーロックリンク６４０のガイドピン６４１が、パワーロックガイド６１５の左端に当接して右方向に付勢される。すると、ねじりコイルばね６４２の付勢力によって、パワーロックリンク６４０が反時計方向に回動し、後シフトプレート３２０が左方向に付勢されてスライド移動する。
【０１６１】
一方、マガジンロック６５０は、マガジン筐体１００の未挿入時には、そのガイドピン６５３が、ロックガイド孔３２３の左端部にある。この状態で、上記のようにマガジン筐体１００が挿入されると、マガジン下面部１３０の下面板１３１に形成された被ロック溝１３１ｄに、ロック突起６５２が挿入される。そして、上記のように後シフトプレート３２０が左方向にスライド移動すると、図３６に示すように、ガイドピン６５３が、ロックガイド孔３２３の左端部から移動するので、マガジンロック６５０は反時計方向にわずかに回動し、ロック突起６５２が、被ロック溝１３１ｄの前端に入る。
【０１６２】
▲５▼トレーロックリンクの回動
上記のように、マガジン筐体１００がシャーシユニット１に挿入されると、図３９（Ａ）〜（Ｂ）に示すように、トレーロック解除爪４が、解除爪ガイド１３８に入り、トレーロックリンク１３７を後方から押圧する。すると、トレーロックリンク１３７は、ねじりコイルばね１３７ａの付勢力に抗して反時計方向に回動するので、トレー１１０の右後端に対する係合が外れ、ロックが解除される。
【０１６３】
▲６▼ローディング完了
押し出し部材６３０が最後端に達した時点で、ローディングギア３１０に対するローディングプレート６１０の小ラック６１１の係合が外れるので、ローディングプレート６１０はスライド移動を停止し、ローディングアーム６２０はローディング完了位置にとどまる。
【０１６４】
２−２．ディスク選択動作
▲１▼後シフトプレートの駆動
上記のように、後シフトプレート３２０が左方向にスライド移動すると、そのアップダウンシフト用ラック３２１が、反時計方向に回動するローディングギア３１０に係合する。すると、後シフトプレート３２０がさらに左方向にスライド移動するので、図１８及び図１９に示した１条の後部階段状カム３２２によって、アップダウンシャーシ３５０の後部のアップダウンガイドピン３５１が上方に付勢される。
【０１６５】
▲２▼左シフトプレートの駆動
同時に、後シフトプレート３２０の左端に連結されたリンクプレート３３０の後端が、左方向に付勢されるので、リンクプレート３３０が反時計方向に回動する。リンクプレート３３０の前端に連結された左シフトプレート３４０は、前方に付勢されてスライド移動する。従って、図２０及び図２１に示した左シフトプレート３４０の左部階段状カム３４１によって、アップダウンシャーシ３５０の左部のアップダウンガイドピン３５１が上方に付勢される。なお、左シフトプレート３４０の前方への移動に従って、スイングシャーシ４２０の左当接爪４２４ａが、ロック用スリット３４２から外れる。
【０１６６】
▲３▼アップダウンシャーシの上昇と停止
以上のように、アップダウンガイドピン３５１が上方に付勢されるので、アップダウンシャーシ３５０が、最下段のトレー１１０の位置から段階的に上昇する。そして、アップダウンシャーシ３５０が所望のトレー１１０（ここでは、上から３段目のトレー１１０）に対応する位置まで来たことが、図示しないフォトセンサによって検出されると、ローディングモータ３１１に停止信号が送られ、ローディングギア３１１が停止する。従って、後シフトプレート３２０及びアップダウンシャーシ３５０が停止する。
【０１６７】
２−３．マガジンロック解除動作
▲１▼初期状態
駆動ユニット３６０の初期状態においては、図２６（Ａ）に示すように、トレースライドリンク３６６のピン３６６ａは、第１のカムギア３６４における上側トレースライドカム溝３６４ａの小径部にある。従って、トレースライダ３６７は反時計方向に回動し、トレースライダ３６７の先端の把持部３６７ｂは、トレー１１０の第１のトレー支持爪１１１から離れる角度となっている。なお、このとき、トレースライダ３６７のピン３６７ａは、下側トレースライドカム溝３６４ｂの導入部にあるので、トレースライダ３６７は引張コイルばね３６９の付勢力により前方に伸びている。
【０１６８】
▲２▼駆動ユニットの上昇
以上のような初期状態から、上記のようにアップダウンシャーシ３５０の上昇によるディスク選択動作が行われると、アップダウンシャーシ３５０の上昇とともに駆動ユニット３６０が上昇する。すると、所望のトレー１１０（本実施例では、上から３段目のトレー１１０を選択したとする）の第１の支持爪１１１と、さらにそれ以上の段のトレー１１０のトレー支持爪１１１が、トレースライダ３６７の把持部３６７ｂに対向する。
【０１６９】
▲３▼トレーの移動
次に、駆動モータ３６１を起動して、第１のカムギア３６４を時計方向に回動させる。すなわち、駆動モータ３６１が作動すると、シャフトの回動がＡギア３６２ａからＣギア３６２ｃに伝達され、Ｃギア３６２ｃが時計方向に回動する。Ｃギア３６２ｃの回動は、Ｄギア３６２ｄを介してＥギア３６２ｅに伝達され、Ｅギア３６２ｅが時計方向に回動する。Ｅギア３６２ｅは、図２５に示すように、メインラック３６３の連続ラック部３６３ｂに係合しているので、Ｅギア３６２ａの時計方向の回動によって、メインラック３６３は左方向にスライド移動する。すると、間欠ラック部３６３ａに係合しているＦギア３６２ｆが時計方向に回動する。Ｆギア３６２ｆの回動は〜Ｉギア３６２ｉを介して第１のカムギア３６４に伝達されるので、第１のカムギア３６４が時計方向に回動する。
【０１７０】
以上のように、第１のカムギア３６４が時計方向に回動すると、図２６（Ｂ）に示すように、トレースライドリンク３６６のピン３６６ａが、上側トレースライドカム溝３６４ａの大径部に入るので、トレースライドリンク３６６が時計方向に回動する。すると、トレースライダ３６７の把持部３６７ｂが、これに対向する３枚のトレー１１０の第１のトレー支持爪１１１に係合する。さらにカムギア３６５が時計方向に回動すると、トレースライダ３６７のピン３６７ａが、下側トレースライドカム溝の中間部に入る。すると、図２６（Ｃ）に示すように、引張コイルばね３６９の付勢力に抗して、トレースライダ３６７が後方に移動するので、図４０に示すように、第１のトレー支持爪１１１に係合した把持部３６７ｂによって各トレー１１０が後方に移動する。このようにトレー１１０が移動すると、図４１（Ａ），（Ｂ）に示すように、トレー１１０に形成された突出部１１０ｄは、これに対応するトレーガイド２１２のスリット２１２ａに入る。
【０１７１】
▲４▼ロックの解除
上段の３枚のトレー１１０が移動すると、その周囲の第１〜第３のトレー支持爪１１１〜１１３は、図６（Ｂ）に示すように、第１〜第３の上側スリット部１２２〜１２４のスリット１２２ａ〜１２４ａに入る。このとき、最上段の第１〜第３のトレー支持爪１１１〜１１３も、第１〜第３の上側スリット部１２２〜１２４と第１〜第３の下側スリット部１３２ａ〜１３４ａとの最上段の境界部分から、第１〜第３の上側スリット部１２２〜１２４側に移動するので、上側及び下側の両スリット部の上下方向のずれを規制する部材がなくなる。従って、マガジン上面部１２０とマガジン下面部１３０はロックが解除された状態となる。
【０１７２】
なお、トレー１１０は、初期位置では、マガジン下面部１３０側の下側トレースプリング１３９により付勢され、分離可能位置ではマガジン上面部１２０側の上側トレースプリング１２５により付勢されている。従って、マガジンが分割された際でも、トレー１１０の位置規制が可能となっていて、振動による変動や飛び出しが防止される。
【０１７３】
▲５▼トレーギアの停止
以上のようにトレー１１０が所定量移動すると、図２６（Ｄ）に示すように、さらにカムギア３６４が時計方向に回動し、トレースライドリンク３６６のピン３６６ａが、上側トレースライドカム溝３６４ａの小径部に入るので、トレースライドリンク３６６が反時計方向に回動する。すると、トレースライダ３６７の把持部３６７ｂが、第１のトレー支持爪１１１から外れる。一方、トレースライダ３６７のピン３６７ａは、下側トレースライドカム溝３６４ｂの円弧部に入る。すると、引張コイルばね３６９の付勢力により、トレースライダ３６７が前方に移動する。
【０１７４】
なお、図２８（Ａ）〜（Ｄ）に示すように、上記のようなトレースライダ３６７によるトレー１１０の移動の過程で、第１のカムギア３６４とともに、第２のカムギア３６５も回動するが、ディスクキャッチレバーベース３６８のピン３６８ａは、ディスクキャッチカム溝３６５ａの小径部にあるので、ディスクキャッチレバーベース３６８は変動しない。
【０１７５】
２−４．マガジン分割動作
▲１▼マガジンホルダーの上昇
上記のようにマガジン筐体１００のロック状態を解除した後に、マガジンシフトモータ２２１を起動して、円筒カム２２０を回動させる。すると、図１０に示すように、円筒カム２２０の周囲に形成されたらせん状カム２２０ａによって、マガジンホルダー２１０の左のホルダーガイドピン２１１が上方に付勢される。同時に、図８に示すように、円筒カム２２０の円盤状ギア２２０ｃが、第１の円盤部２３１を介して第２の円盤部２３２を回動させる。第２の円盤部２３２の円弧状ギア２３２ｂには、マガジンシフトプレート２４０のマガジンシフト用ラック２４１が係合しているので、第２の円盤部２３２の回動とともに、マガジンシフトプレート２４０は後方にスライド移動する。従って、図１２に示すように、マガジンシフトプレート２４０に形成された傾斜カム２４２によって、マガジンホルダー２１０の右のホルダーガイドピン２１１が上方に付勢される。
【０１７６】
このように、ホルダーガイドピン２１１が上方に付勢されると、図１４に示すように、マガジンホルダー２１０が、マガジン全開位置（最高位置）にまで上昇し、このときのマガジンシフトプレート２４０の位置が、図示しないマガジンオープンスイッチによって検出され、マガジンシフトモータ２２１が停止する。
【０１７７】
▲２▼フローティングロックの解除
なお、上述のアップダウンシャーシ３５０の上昇の際に、リンクプレート３３０が反時計方向に回動すると、後フローティングロック爪３３２が、後フローティングロックプレート１４の後ロックスリット１４ａから外れる。また、左シフトプレート３４０が前方にスライド移動すると、左フローティングロック爪３４３が、左フローティングロックプレート１２の左ロックスリット１２ａから外れる。さらに、上記のマガジンホルダー２１０の上昇の際に、マガジンシフトプレート２４０が後方に移動すると、図１５及び図１６に示すように、ロック爪２４３が右ロックスリット１３ａから外れるので、上述した後フローティングロック爪３３２及び左フローティングロック爪３４３に対するロックの解除とともに、フローティングロックが完全に解除され、マガジンの分割前に、シャーシユニット１はダンパー１１支持によるフローティング状態となっている。
【０１７８】
▲３▼マガジンの分割
以上のようなマガジンホルダー２１０の上昇によって、図１０及び図１２に示すように、上側把持爪２１０ｂによって把持されたマガジン上面部１２０は、３枚のトレー１１０とともに持ち上げられるが、マガジン下面部１３０はシャーシユニット１の下側把持爪２ａによって把持されているので、２枚のトレー１１０とともに、下方にとどまる。従って、マガジン筐体１００が、シャーシユニット１の内部において、上下に分割されることになる。
【０１７９】
このとき、ガイドシャフト３が、マガジンホルダー２１０の挿通穴２１０ａに挿通し、さらに、マガジン上面部１２０のガイド穴１２６に挿通されるので、マガジン上面部１２０の前後動が規制される。そして、マガジン上面部１２０とともに持ち上げられた３枚のトレー１１０は、図４１（Ａ），（Ｂ）に示すように、その突出部１１０ｄがトレーガイド２１２のスリット２１２ａに入っている。従って、各トレー１１０の周囲の支持は、第１〜第３のトレー支持爪１１１〜１１３に対する支持と合計すると、４点支持されていることになり、特定方向に垂れ下がることがない。
【０１８０】
２−５．スイングユニット振り込み動作
▲１▼パワープレートの移動
マガジン筐体１００の分割完了後、駆動ユニット３６０の駆動モータ３６１を再度起動し、メインラック３６３を左方向にスライド移動させる。すると、図３１（ｂ）に示すように、第１のギアロックリンク４１４の前方当接円柱４１４ｂが、メインラック３６３の隆起縁３６３ｃから外れ、陥没縁３６３ｄに入るので、第１のギアロックリンク４１４は回動軸４１４ａを中心に反時計方向に回動する。そして、第１のギアロックリンク４１４の後方当接円柱４１４ｃは前方に移動するので、第２のギアロックリンク４１５は、後方当接円柱４１４ｃによる規制を解かれ、回動軸４１５ａを中心に回動可能な状態となる。
【０１８１】
一方、振り込み駆動前においては、図３１（Ａ）に示すように、パワーラック４１２は、ばね部材４１３の右側の直線部４１３ａによって左方向に付勢されているが、その隆起縁４１２ｂの左側縁には、第２のロックリンク４１５のロック円柱４１５ｂが当接しているので、パワーラック４１２のスライド移動が規制されるとともに、パワープレート４１１も移動を規制されている。従って、スイングシャーシ４２０は、ストッパ３５４に当てつけられ、かつ左シフトプレート３４０により左当接爪４２４ａを押さえているので、外部衝撃などで逆方向に回転しないようにロックされている。
【０１８２】
そして、上記のように第２のギアロックリンク４１５が回動可能な状態となると、図３１（Ｂ）に示すように、パワーラック４１２の付勢力によって、第２のギアロックリンク４１５が反時計方向に回動し、ロック円柱４１５ｂが隆起縁４１２ｂの左側縁から外れて前縁に移動するので、ロック円柱４１５ｂによる規制が解除される。すると、パワーラック４１２が左方向にスライド移動し、そのラック部４１２ａがＪギア３６２ｊに係合する。
【０１８３】
Ｊギアｊは、Ｃギア３６２ｃに係合しているのでＣギア３６２ｃの時計方向の回動によって、反時計方向に回動している。従って、図３２（Ｃ）に示すように、パワーラック４１２は、Ｊギアｊによってさらに左方向にスライド移動する。また、パワーラック４１２とパワープレート４１１とは、ばね部材４１３によって連結されているので、パワーラック４１２の左方向へのスライド移動とともに、パワープレート４１１も左方向へスライド移動する。
【０１８４】
▲２▼スイングシャーシの回動
パワープレート４１１が左方向へスライド移動すると、スイングシャーシ４２０の連結ピン４２２が、パワープレート４１１のガイド穴４１１ａに沿って一旦後方に移動してから前方に移動する。従って、スイングシャーシ４２０は、振り込み回動軸４２１を中心に反時計方向に回動を開始する。なお、この回動は、連結ピン４２２及びガイドピン４２３が、振り込み回動ガイド穴３５２，３５３に沿って移動することによりガイドされる。
【０１８５】
このようにスイングシャーシ４２０が回動を続けると、図４２（Ａ）に示すように、スイングユニット４００全体が、分割されたマガジン上面部１２０とマガジン下面部１３０との間に振り込まれる。そして、図４２（Ｂ）に示すように、スイングシャーシ４２０の先端部の右当接爪４２４ｂは、シャーシユニット１のＶ字スリット６に係合して、スイングシャーシ４２０の回動が停止する。
【０１８６】
▲３▼パワープレートの停止
Ｊギアｊによってパワーラック４１２が左方向にスライド移動を続けると、図３２（Ｄ）に示すように、ラック部４１２ａがＪギア３６２ｊから外れるので、パワーラック４１２が停止して、パワープレート４１１も停止する。同時に、第２のギアロックリンク４１５のロック円柱４１５ｂは、パワーラック４１２の隆起縁４１２ｂの前縁から外れる。
【０１８７】
一方、メインラック３６３が左方向にスライド移動を続けると、第１のギアロックリンク４１４の前方当接円柱４１４ｂが、メインラック３６３の陥没縁３６３ｄから隆起縁３６３ｃに当接するので、第１のギアロックリンク４１４は回動軸４１４ａを中心に時計方向に回動する。すると、第１のギアロックリンク４１４の後方当接円柱４１４ｃは後方に移動するので、第２のギアロックリンク４１５が、後方当接円柱４１４ｃによって後方に付勢される。
【０１８８】
この後方当接円柱４１４ｃの付勢力によって、第２のギアロックリンク４１５は時計方向に回動し、そのロック円柱４１５ｂが隆起縁４１２ｂの右側縁に当接することによって、パワーラック４１２の移動がロックされた状態となる。なお、この間、Ｆギア３６２ｆとメインラック３６３の間欠ラック部３６３ａとは、その間欠部同士が面しているため、Ｆギア３６２ｆ以降へは動力は伝わらない。
【０１８９】
２−６．ディスクチャッキング動作
以上のようにスイングユニット４００が振り込まれると、図３４（Ｂ）に示すように、ドライブユニット５００のターンテーブル５２０は、ディスクＤの中心穴に対応する位置に来る。この状態で、送りモータ５４３を駆動して光学ピックアップ５３０をターンテーブル５２０側に移動させる。そして、光学ピックアップ５３０のスイッチノブ５３２が、スイッチスプリング５３３によって押圧された後、さらに内周に移動すると、光学ピックアップ５３０の端部によってリリースプレート５１１が押圧される。すると、リリースプレート５１１のリリース端部５１１ａが、スリーブ５２２の下部の傾斜側面を押圧する。押圧されたスリーブ５２２は、スプリング５２３の付勢力に抗して下方に移動するので、ディスクホック５２５に対する付勢が解除される。なお、このリリースプレート５１１移動用の光学ピックアップ５３０の動作制御は、タイマを用いて送りモータ５４３を制御することによって行うことが考えられる。
【０１９０】
そして、マガジンシフトモータ２２１を起動して、マガジンホルダー２１０をディスクチャッキング位置（中間位置）まで下降させると、このときのマガジンシフトプレート２４０の位置が、図示しないチャッキングスイッチによって検出され、マガジンシフトモータ２２１が停止する。
【０１９１】
このようにマガジンホルダー２１０が中間位置まで下降すると、これに保持されたマガジン上面部１２０も下降する。すると、図３４（Ｃ）に示すように、マガジン上面部１２０内の３段目のトレー１１０に保持されたディスクＤが、ターンテーブル５２０に押しつけられ、ディスクＤの中心穴に、ディスク挿通部５２４が挿通する。このとき、ディスク挿通部５２４に設けられたディスクホック５２５は、上記のようにスプリング５２３の付勢力から解放されているので、支点５２５ｂを中心に内側に回動し、係留部５２５ａがディスクＤの中心穴に挿通する。
【０１９２】
そして、この係留部５２５ａが中心穴を潜り抜けた後、光学ピックアップ５３０を移動して、リリースプレート５１１に対する押圧を解く。すると、リリースプレート５１１のリリース端部５１１ａが、スリーブ５２２の下部の傾斜側面から離れるので、スリーブ５２２は、スプリング５２３の付勢力によって上方に移動して、ディスクホック５２５に対する付勢が回復する。従って、ディスクホック５２５はスプリング５２３の付勢力によって外側に回動し、係留部５２５ａはディスクＤの中心穴の上端に係合するので、ディスクＤがターンテーブル５２０上に保持される。また、このとき、図２９（Ｅ）に示すように、マガジン上面部１２０内の３段目のトレー１１０のディスクキャッチリンク１１７のみが、ディスクキャッチレバー３７０の押圧爪３７０ｂに対峙する。
【０１９３】
２−７．ディスクリリース動作
▲１▼ディスクキャッチレバーの回動
ディスクチャッキング完了後、駆動モータ３６１により第２のカムギア３６５が時計方向に回動すると、図２９（Ｅ），（Ｆ）、図３０（Ｊ）に示すように、ディスクキャッチレバーベース３６８のピン３６８ａは、ディスクキャッチカム溝３６５ａの小径部から大径部に入るので、ディスクキャッチレバーベース３６８は、時計方向に回動する。
【０１９４】
なお、このとき、第２のカムギア３６５とともに第１のカムギア３６４も回動するが、図２７（Ｅ）〜（Ｈ）に示すように、トレースライドリンク３６６及びトレースライダ３６７のピン３６６ａ，３６７ａは、上側及び下側トレースライドカム溝３６４ａ，３６４ｂの小径部及び円弧部にあるので、トレースライドリンク３６６及びトレースライダ３６７は変動しない。
【０１９５】
▲２▼ディスクの解放
このように、ディスクキャッチレバーベース３６８が時計方向に回動すると、図２９（Ｆ）に示すように、ディスクキャッチレバー３７０の押圧爪３７０ｂが左方向に移動して、３段目のトレー１１０のディスクキャッチリンク１１７のコの字部１１７ａを押圧する。すると、ディスクキャッチリンク１１７が反時計方向に回動し、その両端に連結された第１〜第３のディスクキャッチリンク１１４〜１１６が回動するので（図３７参照）、それぞれのディスク保持部１１４ａ〜１１６ａが、ターンテーブル５２０上にチャッキングされたディスクＤの周縁を解放する。
【０１９６】
２−８．マガジン退避動作
上記のようにディスクＤが解放された後に、マガジンシフトモータ２２１を起動して、マガジンホルダー２１０をマガジン全開位置（最高位置）まで上昇させると、このマガジンシフトプレート２４０の位置が、図示しないマガジンオープンスイッチによって検出され、マガジンシフトモータ２２１が停止する。
【０１９７】
マガジンホルダー２１０が再び最高位置まで上昇すると、これに保持されたマガジン上面部１２０も上昇する。従って、ターンテーブル５２０上にチャッキングされた１枚のディスクＤを残して、マガジン上面部１２０内の３枚のトレー１１０が持ち上げられ、ディスクＤの再生に必要なクリアランスが確保される。
【０１９８】
このとき、図３０（Ｋ）に示すように、コの字部１１７ａに押圧爪３７０ｂが入っているので、トレー１１０の上方への移動とともに、ディスクキャッチレバー３７０が一旦上方に回動する。この後、駆動モータ３６１により第２のカムギア３６５が更に時計方向に回動すると、図２９（Ｈ）、図３０（Ｌ）に示すように、ディスクキャッチレバーベース３６８が圧縮コイルばね３６８ｂの付勢力に抗して上方にスライド移動して、ディスクキャッチレバー３７０とディスクキャッチレバーベース３６８とが同一水平面となる。第２のカムギア３６５の動作終了後、マガジンシフトモータ２２１を起動してマガジンシフトプレート２４０を後方に移動し、スイングシャーシ４２０の左当接爪４２４ａをロックする。
【０１９９】
２−９．ディスク再生動作
以上のように、ドライブベース５１０をフローティング状態とした後、スピンドルモータ５２１を起動させることによって、ターンテーブル５２０上のディスクＤを回転させる。そして、送りモータ５４３を起動して送りねじ５４２を回動し、光学ピックアップ５３０をガイドレール５４１に沿って移動させることによって、ディスクＤの情報の読取り、再生を行う。
【０２００】
シャーシユニット１は、上記のように、ダンパー１１のみによって支持されたフローティング状態にあるので、外部からの振動がダンパー１１によって吸収され、ターンテーブル５２０及び光学ピックアップ５３０等の部材が振動による影響を受けず、正確な読取りが可能となる。
【０２０１】
２−１０．ディスク再収納動作
再生を終了したディスクＤを、再びマガジン筐体１００内のトレー１１０に収納する作業を説明する。
【０２０２】
▲１▼ディスク再把持動作
ターンテーブル５２０の回転を停止した後、駆動モータ３６１を起動して第２のカムギア３６５を反時計方向に図２９（Ｇ）、図３０（Ｋ）に示す位置まで回動し、その後、マガジンシフトモータ２２１を起動して、マガジンホルダー２１０をディスクチャッキング位置（中間位置）まで下降させると、このときのマガジンシフトプレート２４０の位置が図示しないチャッキングスイッチによって検出され、マガジンシフトモータ２２１が停止する。このようにマガジンホルダー２１０が再び中間位置まで下降すると、マガジン上面部１２０内の３段目のトレー１１０が、ターンテーブル５２０上のディスクＤに接する。
【０２０３】
そして、図２９（Ｇ）〜（Ｅ）に示すように、駆動モータ３６１を起動して第２のカムギア３６５を反時計方向に回動させると、ディスクキャッチレバーベース３６８のピン３６８ａは、第２のカムギア３６５のディスクキャッチカム溝３６５ａの小径部に入るので、ディスクキャッチレバーベース３６８は反時計方向に回動する。これにより、ディスクキャッチレバー３７０の押圧爪３７０ｂは右方に移動し、３段目のトレー１１０におけるディスクキャッチリンク１１７のコの字部１１７ａから離れる。
【０２０４】
すると、キャッチスプリング１１８の付勢力によって、第３のディスクキャッチ１１６が、そのディスク保持部１１６ａがディスクＤの縁に当接する方向に回動するとともに、ディスクキャッチリンク１１７が回動して第１及び第２のディスクキャッチ１１４，１１５が、そのディスク保持部１１４ａ，１１５ａがディスクＤの縁に当接する方向に回動する（図３６参照）。従って、ターンテーブル５２０上にチャッキングされたディスクＤの周囲が、３段目のトレー１１０内において再び保持される。
【０２０５】
なお、このとき、図２７（Ｇ）〜（Ｅ）に示すように、第２のカムギア３６５とともに第１のカムギア３６４も回動するが、トレースライドリンク３６６及びトレースライダ３６７のピン３６６ａ，３６７ａは、上側及び下側トレースライドカム溝３６４ａ，３６４ｂの小径部及び円弧部にあるので、トレースライドリンク３６６及びトレースライダ３６７は変動しない。
【０２０６】
▲２▼ディスクチャッキング解除動作
上記の状態で、ディスクチャッキング時と同様に、光学ピックアップ５３０を内周に移動させて、ディスクホック５２５に対するスプリング５２３の付勢力を解除する。そして、マガジンシフトモータ２２１を起動して、マガジンホルダー２１０をマガジン全開位置（最高位置）まで上昇させると、このときのマガジンシフトプレート２４０の位置が図示しないマガジンオープンスイッチによって検出され、マガジンシフトモータ２２１が停止する。
【０２０７】
このようにマガジンホルダー２１０が最高位置まで上昇すると、これに保持されたマガジン上面部１２０も上昇する。従って、３段目のトレー１１０のトレー支持爪１１１によって保持されたディスクＤは、その中心穴がディスクホック５２５及びディスク挿通部５２４から抜けて、マガジン上面部１２０とともに上昇する。ディスクＤの中心穴に対するディスクホック５２５の係合力は、上記のように、スプリング５２３の付勢力の解除によって弱まっているので、ディスクＤの脱着はスムーズに行うことができる。
【０２０８】
２−１１．スイングユニット振り出し動作
上記のようにディスクＤのチャッキングを解除した後、駆動ユニット３６０の駆動モータ３６１を起動してＣギア３６２ｃを反時計方向に回動させると、メインラック３６３が右方向にスライド移動する。すると、図３２（Ｃ）に示すように、第１のギアロックリンク４１４の前方当接円柱４１４ｂが、メインラック３６３の隆起縁３６３ｃから外れ、陥没縁３６３ｄに当接するので、第１のギアロックリンク４１４は回動軸４１４ａを中心に反時計方向に回動する。そして、第１のギアロックリンク４１４の後方当接円柱４１４ｃは前方に移動するので、第２のギアロックリンク４１５は、後方当接円柱４１４ｃによる規制を解かれ、回動軸４１５ａを中心に回動可能な状態となる。
【０２０９】
このとき、図３２（Ｄ）に示すように、ばね部材４１３の左側の直線部によって、パワーラック４１２は右方向に付勢されているので、この付勢力が第２のロックリンク４１５のロック円柱４１５ｂに加わっている。従って、第２のギアロックリンク４１５は反時計方向に回動してロック円柱４１５ｂが前方に移動し、隆起縁４１２ｂの前縁に当接する。すると、ロック円柱４１５ｂによる規制が解かれたパワーラック４１２が、右方向にスライド移動し、そのラック部４１２ａがＪギア３６２ｊに係合する。
【０２１０】
Ｊギアｊは、Ｃギア３６２ｃに係合しているのでＣギア３６２ｃの反時計方向の回動によって、時計方向に回動している。従って、パワーラック４１２は、Ｊギアｊによってさらに右方向にスライド移動する。パワーラック４１２とパワープレート４１１とは、ばね部材４１３によって連結されているので、パワーラック４１２の右方向へのスライド移動とともに、パワープレート４１１も右方向へスライド移動する。
【０２１１】
パワープレート４１１が右方向へスライド移動すると、スイングシャーシ４２０の連結ピン４２２が、パワープレート４１１のガイド穴４１１ａに沿って後方に移動する。従って、スイングシャーシ４２０は、振り込み回動軸４２１を中心に時計方向に回動を開始する。なお、この回動は、連結ピン４２２及びガイドピン４２３が、振り込み回動ガイド穴３５２，３５３に沿って移動することによりガイドされる。
【０２１２】
このようにスイングシャーシ４２０が回動を続けると、図２２に示すように、スイングユニット４００全体が、分割されたマガジン上面部１２０とマガジン下面部１３０との間から振り出され、シャーシユニット１の左後方の初期位置に復帰する。このとき、スイングシャーシ４２４の後左端部は、ストッパ３５４に当接する。
【０２１３】
２−１２．マガジン合体動作
▲１▼マガジンホルダーの下降
上記のようにスイングユニット４００が振り出された後に、マガジンシフトモータ２２１を起動して、マガジンホルダー２１０をマガジン挿入排出位置（最低位置）にまで下降させると、このときのマガジンシフトプレート２４０の位置が図示しないマガジンクローズスイッチによって検出され、マガジンシフトモータ２２１が停止する。なお、このときのマガジンシフトプレート２４０の移動によって、ロック爪２４３が右ロックスリット１３ａに係合する。
【０２１４】
このように下降するマガジンホルダー２１０に把持されたマガジン上面部１２０は、図９に示すように、３枚のトレー１１０とともに下降し、２枚のトレーとともに下方にとどまっていたマガジン下面部１３０に合体する。このとき、ガイドシャフト３がマガジンホルダー２１０の挿通穴２１０ａに挿通しているので、マガジン上面部１２０の前後動が規制され、正確に合体される。
【０２１５】
▲２▼マガジンロック動作
そして、第１のカムギア３６５がさらに反時計方向に回動すると、図２６（Ｄ）〜（Ｂ）に示すように、トレースライダ３６７のピン３６７ａが、下側トレースライドカム溝３６４ｂの中間部を通って導入部に入る。すると、トレースライダ３６７が前方に移動するので、第１のトレー支持爪１１１に係合した把持部３６７ｂによって各トレー１１０が前方に移動する。このようにトレー１１０が移動すると、トレー１１０に形成された突出部１１０ｄは、これに対応するトレーガイド２１２のスリット２１２ａから外れる。
【０２１６】
さらに、カムギア３６５が反時計方向に回動すると、図２６（Ａ）に示すように、トレースライドリンク３６６のピン３６６ａが、上側トレースライドカム溝３６４ａの小径部に入るので、トレースライドリンク３６６が反時計方向に回動する。すると、トレースライダ３６７の把持部３６７ｂが、これに対向する３枚のトレー１１０の第１のトレー支持爪１１１から離れる。
【０２１７】
上段の３枚のトレー１１０が移動すると、その周囲の第１〜第３のトレー支持爪１１１〜１１３は、図６（Ａ）に示すように、第１〜第３の下側スリット部１３２〜１３４のスリット１３２ａ〜１３４ａに入る。このとき、最上段の第１〜第３のトレー支持爪１１１〜１１３は、第１〜第３の上側スリット部１２２〜１２４と第１〜第３の下側スリット部１３２ａ〜１３４ａとの最上段の境界部分に跨がった位置に来るので、上側及び下側の両スリット部の上下方向のずれが規制される。従って、マガジン上面部１２０とマガジン下面部１３０とは分割できないロック状態となる。
【０２１８】
２−１３．アップダウンシャーシ下降動作
上記のように、マガジン筐体１００の合体及びロックを完了した後に、ローディングモータ３１１を起動して、ローディングギア３１０を時計方向に回動させる。すると、後シフトプレート３２０が右方向にスライド移動するので、後部階段状カム３２２によって、アップダウンシャーシ３５０のアップダウンガイドピン３５１が下方に付勢される。
【０２１９】
同時に、後シフトプレート３２０の左端に連結されたリンクプレート３３０が時計方向に回動し、リンクプレート３３０の前端に連結された左シフトプレート３４０は後方にスライド移動する。従って、左シフトプレート３４０の左部階段状カム３４１によって、アップダウンシャーシ３５０のアップダウンガイドピン３５１が下方に付勢される。
【０２２０】
以上のように、アップダウンガイドピン３５１が下方に付勢されるので、アップダウンシャーシ３５０が下降して、初期の最低位置に戻る。また、上記のように、リンクプレート３３０が時計方向に回動すると、後フローティングロック爪３３２が、後フローティングロックプレート１４の後ロックスリット１４ａに係合する。そして、左シフトプレート３４０が後方にスライド移動すると、左フローティングロック爪３４３が、左フローティングロックプレート１２の左ロックスリット１２ａに係合する。従って、上述したマガジンシフトプレート２４０のロック爪２４３に対するロックとともに、シャーシユニット１は、初期のフローティングロック状態となる。
【０２２１】
２−１４．マガジンイジェクト動作
さらに、上記のように後シフトプレート３２０が右方向にスライド移動すると、パワーロックリンク６４０の後端が右方向に付勢される。すると、パワーロックリンク６１４が時計方向に回動し、ガイドピン６４１によってパワーロックガイド６１５が左方向に付勢される。すると、ローディングプレート６１０が左方向に移動して小ラック６１１がローディングギア３１０に係合するので、ローディングプレート６１０がさらに左方向にスライド移動する。そして、ローディングアーム６２０の凸部６２２が、ローディングプレート６１０の切抜き部６１２の水平部６１２ａに移動するので、ローディングアーム６２０が時計方向に回動し、押し出し部材６３０を前方に移動させる。
【０２２２】
一方、マガジンロック６５０は、マガジン筐体１００の挿入時には、そのガイドピン６５３が、ロックガイド孔３２３の左端部より右の位置にある。そして、上記のように後シフトプレート３２０が右方向にスライド移動すると、ガイドピン６５３が、ロックガイド孔３２３の左端部へ移動するので、マガジンロック６５０は時計方向にわずかに回動し、ロック突起６５２が、被ロック溝１３１ｄの前端から左に移動する。
【０２２３】
従って、図１７に示すように、押し出し部材６３０の後端が、マガジン筐体１００を前方に押し出すとともに、マガジン下面部１３０の下面板１３１に形成された被ロック溝１３１ｄから、ロック突起６５２が外れる。そして、マガジン筐体１００がマガジン挿入口２から所定量排出されると、ローディングアーム６２０が、シャーシユニット１の図示しないイジェクトエンドスイッチを押圧するので、ローディングモータ３１１が停止して、ローディングアーム６２０は排出完了位置にとどまる。
【０２２４】
このように、マガジン筐体１００がシャーシユニット１から排出される方向に移動すると、図３９（Ｃ）〜（Ａ）に示すように、トレーロック解除爪４が、解除爪ガイド１３８から外れ、トレーロックリンク１３７から離れる。すると、トレーロックリンク１３７は、ねじりコイルばね１３７ａの付勢力によって時計方向に回動するので、各トレー１１０の右後端に、トレーロックリンク１３７の端部が係合する。そして、各トレー１１０の係止突起１１２ａには、上側トレースプリング１２５及び下側トレースプリング１３９が当接している。従って、トレー１１０は、その移動が規制され、ロック状態が保持されている。この状態で、ユーザが、マガジン挿入口２からマガジン筐体１００を引き出す。
【０２２５】
さらに、マガジン筐体１００内のディスクＤの取り出し作業は、以下の通りである。すなわち、図７（Ｂ）及び図３７に示すように、操作部１３６ｃを指で動かすことによって、ディスクロックレバー１３６を右方向にスライド移動させて、第１のディスクキャッチ１１４及び第２のディスクキャッチ１１５の回動ロックを解除する。そして、ディスクレバー１３５を指で押し込んで後方に回動させると、ディスクＤの縁が押圧され、ディスクＤが排出されるので、マガジン筐体１００の切り込み１１０ａ，１２１ａ，１３１ａを利用してディスクＤを指で掴んで引き出す。
【０２２６】
［３．実施の形態の効果］
以上のような本実施の形態の効果は、以下の通りである。すなわち、上下に分割されたマガジンの間で、ディスクＤの再生を行うので、水平方向のスペースを大幅に縮小することができ、例えば、車載用機器として用いる場合に、取り付け場所の自由度が増す。
【０２２７】
また、所望のトレー１１０を移動させ、ディスクＤの保持、解放を行う駆動ユニット３６０と、スイングシャーシ４２０を振り込む振り込み駆動機構４１０とが共通の駆動モータ３６１によって駆動し、マガジン筐体１１０のローディングとアップダウンシャーシ３５０の昇降と、シャーシユニット１のフローティングロック解除を共通のローディングモータ３１１によって行うので、モータ数の削減による装置の小形化と省電力化を実現できる。
【０２２８】
また、上側スリット部１２３及び下側スリット部１３２と、各トレー１１０の移動に応じて移動する第１〜第３のトレー支持爪１１１〜１１３とによって、マガジン筐体１００のロック、トレー１１０の保持が可能なので、これらの機能を実現するためには、トレー１１０を移動させる駆動ユニット３６０と、駆動ユニット３６０を昇降させるアップダウンユニット３００を設けるだけでよい。従って、簡単な機構によって、マガジン筐体１００のロック及びロック解除、ディスク選択、トレー１１０の支持を行うことができ、小形化、低コスト化が可能となる。特に、トレー１１０の移動は、トレースライダ３６７を移動させることによって行うので、簡素な機構によって、確実な動作を実現することができる。
【０２２９】
また、ターンテーブル５２０上へのディスクＤのチャッキング及びチャッキング解除作業は、マガジンホルダー２１０を昇降させて、ディスクホック５２５をディスクＤの中心穴に係脱させることによって容易に行うことができるので、特別にディスクＤの上から押さえるための部材を必要とせず、構成の簡略化を実現できる。特に、別途駆動源を機構を設けなくとも、送り機構５４０による光学ピックアップ５３０の移動によって、ターンテーブル５２０上のディスクチャッキングを解除することができるので、装置の簡略化が可能となる。
【０２３０】
また、スイングユニット４００が振り込まれていない状態では、その後端がアップダウンシャーシ３５０のストッパ３５４に当接していると同時に左シフトプレート３４０のスリット３４２に係合している。そして、スイングユニット４００が振り込まれた状態においては、その先端の当接爪４２４がＶ字スリット６によって保持されていると同時にマガジンシフトプレート２４０のロック用穴２４４の端面で押さえている。従って、待機時及び振り込み時ともに変位が規制され、振動による部品の変形や破損、音飛びのおそれが無くなる。
【０２３１】
また、ディスクＤの再生時には、シャーシユニット１がダンパー１１の支持によるフローティング状態となるために、振動に対して強くなるが、フローティングロック機構が、アップダウンユニット３００の左シフトプレート３４０及びリンクプレート３３０、マガジンシフトユニット２１０のマガジンシフトプレート２４０を兼用しているので、部材数を節約するとともに、動作の確実性を向上させることができる。
【０２３２】
また、マガジンシフトユニット２００の円筒カム２２０は、奥行き（前後）方向及び幅（左右）方向ともに比較的スペースをとらないため、装置全体の小型化が可能となる。特に、奥行きトロークを確保し難いスイングユニット４００側には円筒カム２２０を用い、これと反対側の奥行きストロークを確保しやすいスペースには、幅方向のスペースをとらないマガジンシフトプレート２４０を用いることによって、スペース効率のよい部材配置が可能となり、装置全体の大幅な小型化が実現できる。
【０２３３】
また、マガジンホルダー２１０と共にマガジン上面部１２０が昇降する際に、ガイド穴１２６にガイドシャフト３が挿通することによって移動がガイドされるので位置ずれがなく、分割及び合体時における動作不良の発生が防止される。
【０２３４】
また、マガジン上面部１２０を昇降させる際には、トレー１１０の突出部１１０ｄがトレーガイド２１２のスリット２１２ａに入っているので、各トレー１１０の周囲は、第１〜第３のトレー支持爪１１１〜１１３と合わせて４点支持されていることになり、特定方向に垂れ下がることがない。
【０２３５】
また、マガジン筐体１００の結合状態のロック及びロック解除を、マガジン筐体１００内のトレー１１０のスライド移動によって行うことができる。従って、マガジン筐体１００のロック用の特別な部材を必要とせず、マガジン筐体１００の簡略化を実現できる。また、トレー１１０の移動は直線的なので、スムーズな動作が得られやすく、動作不良も発生しにくい。
【０２３６】
また、トレー１１０のスライド移動は、トレー１１０の端部に係合するトレーロックリンク１３７と、係止突起１１２ａに当接する上側トレースプリング１２５及び下側トレースプリング１３５によって規制されるので、ユーザがマガジン筐体１００の持ち運び時等に、トレー１１０が移動してロックが解除されてしまうことがない。
【０２３７】
また、各トレー１１０におけるディスクＤは、第１〜第３のディスクキャッチ１１４〜１１６のディスク保持部１１４ａ〜１１６ａによって支持された３点支持なので、ディスクＤの位置が安定する。そして、第１〜第３のディスクキャッチ１１４〜１１６は、ディスクキャッチリンク１１７によって連動させているので、各ディスク保持部１１７ａ〜１１６ａの同期を取りやすい。ディスクキャッチリンク１１７を用いることで、第１〜第３のディスクキャッチ１１４〜１１６を単一のキャッチスプリング１１８によって付勢することができ、部材数を節約することができる。さらに、駆動ユニット３６０側もディスクキャッチレバー３７０によってディスクキャッチリンク１１７を押圧するだけでよいので、機構を簡略化することができる。
【０２３８】
また、マガジン筐体１００のトレーロックリンク１３７は、手動によりディスクＤの保持を解除するディスクロックレバー１３６のストッパーとなるように、トレーロックリンク１３７とディスクロックレバー１３６とが可動範囲を共通にする小さなスペースに設けられている。従って、ディスクロックレバー１３６の外れを防止できるとともに、マガジン筐体１００の小形化が可能となる。
【０２３９】
また、マガジン筐体１００の側面には、側壁１２７，１３０ａが一部にしか設けられていないので、マガジン筐体１００の体積をディスクＤを覆う最小限にして、小形化を図ることができる。
【０２４０】
また、ディスクマガジンを構成するトレー１１０、マガジン上面部１２０及びマガジン下面部１３０には、切り込み１１０ａ，１２１ａ，１３１ａが形成されている。このため、ディスク排出レバー１３５を回動させて、ディスクＤを排出する際に、切り込み１１０ａ，１２１ａ，１３１ａにおいて露出しているディスクＤの縁を掴むことにより信号面に触れずに容易に取り出すことができ、取り出しの際の指紋の付着を防止することができる。さらに、この切り込み１１０ａ，１２１ａ，１３１ａを形成することは容易であり製造コスト高とはならない。
【０２４１】
［４．その他の実施の形態］
本発明は、上記のような実施の形態に限定されるものではなく、各部材の数、形状、大きさ等は適宜変更可能である。例えば、マガジン筐体１００内のトレー１１０の数は、複数であれば何枚であってもよい。従って、これに応じでスリット１２２ａ〜１２３ａ，１３２ａ〜１３４ａの数も変更可能である。
【０２４２】
また、上記の実施の形態は、マガジン上面部１２０を昇降させることによって、マガジン筐体１００を分割する構成であったが、上記の実施の形態を上下逆方向に構成し、マガジン下面部１２０を昇降させることによって、マガジン筐体１００を分割し、下方を向いたターンテーブル５２０にディスクＤをチャッキングさせてディスク再生を行う構成とすることも可能である。
【０２４３】
さらに、本発明に用いる記録媒体は、ディスク形状のものであればよく、ＣＤ等に限定されない。また、本発明は、再生用の装置としてばかりでなく、記録・再生が可能な装置として構成することもできる。
【０２４４】
【発明の効果】
以上のように、本発明によれば、簡単な機構と少ない駆動源によって、ディスクマガジンのロック及びロック解除、ディスクの選択、トレー保持、ディスク保持及びディスク解放等を実現することができ、小型で信頼性のあるディスク装置を提供することができる。
【図面の簡単な説明】
【図１】本発明のディスク装置の実施の形態を示す平面図である。
【図２】本発明のディスクマガジンの実施の形態を示す側面図である。
【図３】図２の実施の形態のディスクマガジン内のトレーを示す平面図である。
【図４】図２の実施の形態におけるマガジン上面部を示す平面図である。
【図５】図２の実施の形態におけるマガジン下面部を示す平面図である。
【図６】図２の実施の形態のディスクマガジンにおける上側スリット部及び下側スリット部の拡大断面図であり、（Ａ）は合体ロック状態、（Ｂ）は合体ロック解除状態、（Ｃ）は分割状態を示す。
【図７】図５のマガジン下面部におけるディスクロックレバー及びトレーロックリンクの拡大平面図であり、（Ａ）はディスクロック状態、（Ｂ）はディスクロック解除状態を示す。
【図８】図１の実施の形態におけるマガジンシフトユニットを示す平面図である。
【図９】図８のマガジンシフトユニットのマガジン挿入時を示す正面図である。
【図１０】図８のマガジンシフトユニットのマガジン分割時を示す正面図である。
【図１１】図８のマガジンシフトユニットのマガジン挿入時を示す右側面図である。
【図１２】図８のマガジンシフトユニットのマガジン分割時を示す右側面図である。
【図１３】図８のマガジンシフトユニットのマガジン挿入時を示す左側面図である。
【図１４】図８のマガジンシフトユニットのマガジン分割時を示す左側面図である。
【図１５】図８のマガジンシフトユニットにおけるマガジンシフト用ラックを示す平面図である。
【図１６】図１５のマガジンシフト用ラックのフローティングロック解除状態を示す平面図である。
【図１７】図１の実施の形態におけるマガジンイジェクトユニットのマガジン引き込み状態又は排出状態を示す平面図である。
【図１８】図１の実施の形態におけるアップダウンシャーシが最低位置にある時を示す背面図である。
【図１９】図１の実施の形態におけるアップダウンシャーシが中間位置にある時を示す背面図である。
【図２０】図１の実施の形態におけるアップダウンシャーシが最低位置にある時を示す左側面図である。
【図２１】図１の実施の形態におけるアップダウンシャーシが中間位置にある時を示す左側面図である。
【図２２】図１の実施の形態における駆動ユニット及びスイングユニットの平面図である。
【図２３】図２２の駆動ユニットにおける駆動モータの周辺を示す平面図である。
【図２４】図２２の駆動ユニットにおける第１及び第２のカムギアを駆動するためのギア群を示す平面図である。
【図２５】図２２の駆動ユニットにおけるメインラックとＥギア及びＦギアの係合状態を示す側面図である。
【図２６】図２２の駆動ユニットにおけるトレー移動時のトレースライダの駆動手順を示す平面図（Ａ）〜（Ｄ）である。
【図２７】図２２の駆動ユニットにおけるディスク解放時のトレースライダの状態を示す平面図（Ｅ）〜（Ｆ）である。
【図２８】図２２の駆動ユニットにおけるトレー移動時のディスクキャッチレバーの状態を示す平面図（Ａ）〜（Ｄ）である。
【図２９】図２２の駆動ユニットにおけるディスク解放時のディスクキャッチレバーの駆動手順を示す平面図（Ｅ）〜（Ｆ）である。
【図３０】図２２の駆動ユニットにおけるディスクチャッキング後のトレー上昇時のディスクキャッチレバーの変位を示す平面図（Ｉ）〜（Ｌ）である。
【図３１】図１の実施の形態における振り込み駆動機構の平面図であり、（Ａ）はパワープレートのロック状態、（Ｂ）はパワープレートのロック解除状態である。
【図３２】図１の実施の形態における振り込み駆動機構の平面図であり、（Ｃ）はスイングユニットの振り込み開始状態、（Ｄ）はスイングユニットの振り込み完了状態である。
【図３３】図１の実施の形態におけるドライブユニットの平面図であり、（Ａ）は光学ピックアップによる再生状態、（Ｂ）は内周検出状態、（Ｃ）はディスクチャッキング解除状態である。
【図３４】図３３のドライブユニットにおけるターンテーブルの縦断面図であり、（Ａ）はディスク未装着状態、（Ｂ）はディスク接近状態、（Ｃ）はディスク装着状態である。
【図３５】図１７のマガジンイジェクトユニットにおける後シフトプレートとのリンク構造を示す平面図である。
【図３６】図２の実施の形態のディスクマガジンにおけるディスク未挿入状態を示す平面図である。
【図３７】図２の実施の形態のディスクマガジンにおけるディスク挿入及び取り出し状態を示す平面図である。
【図３８】図１７のマガジンイジェクトユニットにおけるディスク引き込み完了状態を示す平面図である。
【図３９】図５のマガジン下面部におけるトレーロックリンクの拡大平面図であり、（Ａ）はトレーロック状態、（Ｂ）はトレーロックリンク回動開始状態、（Ｃ）はトレーロック解除状態を示す。
【図４０】図１の実施の形態におけるトレーの移動状態を示す側面図である。
【図４１】図１の実施の形態におけるトレーガイドのスリットへのトレー挿通状態を示す側面図（Ａ）及び平面図（Ｂ）である。
【図４２】図２２のスイングユニットの振り込み状態を示す平面図（Ａ）及び右側面図（Ｂ）である。
【符号の説明】
Ｄ…ディスク
１…シャーシユニット
１ａ…右側ホルダーガイド溝
２…マガジン挿入口
２ａ…下側把持爪
２ｂ，２１０ｃ…返り部
２ｃ…左側ホルダーガイド溝
３…ガイドシャフト
４…トレーロック解除爪
６…Ｖ字スリット
１０…ケースユニット
１１…ダンパー
１２…左フローティングロックプレート
１２ａ…左ロックスリット
１２ｂ…左サイドプレート
１３…右フローティングロックプレート
１３ａ…右ロックスリット
１３ｂ…右サイドプレート
１４…後フローティングロックプレート
１４ａ…後ロックスリット
１５…ダンパースプリング
１００…マガジン筐体
１１０…トレー
１１０ａ，１２１ａ，１３１ａ…切り込み
１１０ｂ…切欠部
１１０ｃ…ディスクガイド
１１０ｄ…突出部
１１１…第１のトレー支持爪
１１２…第２のトレー支持爪
１１２ａ…係止突起
１１３…第３のトレー支持爪
１１４…第１のディスクキャッチ
１１４ａ，１１５ａ，１１６ａ…ディスク保持部
１１４ｂ…被押圧爪
１１５…第２のディスクキャッチ
１１６…第３のディスクキャッチ
１１７…ディスクキャッチリンク
１１７ａ…コの字部
１１７ｂ…規制溝
１１８…キャッチスプリング
１２０…マガジン上面部
１２１…上面板
１２１ｂ…凸部
１２２…第１の上側スリット部
１２３…第２の上側スリット部
１２４…第３の上側スリット部
１２２ａ〜１２４ａ，１３２ａ〜１３４ａ，２１２ａ…スリット
１２５…上側トレースプリング
１２６…ガイド穴
１２７，１３０ａ…側壁
１３０…マガジン下面部
１３１…下面板
１３１ｂ…凹部
１３１ｃ…窪み
１３１ｄ…被ロック溝
１３２…第１の下側スリット部
１３３…第２の下側スリット部
１３４…第３の下側スリット部
１３５…ディスク排出レバー
１３５ａ，１３６ｅ，１３７ａ，６４２…ねじりコイルばね
１３６…ディスクロックレバー
１３６ａ…プレート部
１３６ｂ…押圧部
１３６ｃ…操作部
１３６ｄ…スライド穴
１３７…トレーロックリンク
１３８…解除爪ガイド
１３９…下側トレースプリング
２００…マガジンシフトユニット
２１０…マガジンホルダー
２１０ａ…挿通穴
２１０ｂ…上側把持爪
２１１…ホルダーガイドピン
２１２…トレーガイド
２１３…クロスプレート
２２０…円筒カム
２２０ａ…らせん状カム
２２０ｂ…大平歯車
２２０ｃ…円盤状ギア
２２１…マガジンシフトモータ
２２１ａ…伝達ギア
２３０…シンクロギア
２３１…第１の円盤部
２３１ａ，２３１ｂ，２３２ａ，２３２ｂ…円弧状ギア
２３２…第２の円盤部
２４０…マガジンシフトプレート
２４１…マガジンシフト用ラック
２４２…傾斜カム
２４３…右フローティングロック爪
２４４…ロック用穴
３００…アップダウンユニット
３１０…ローディングギア
３１１…ローディングモータ
３１１ａ，３６２，３７１…伝達ギア群
３１２…シフトカムギア
３２０…後シフトプレート
３２１…アップダウンシフト用ラック
３２２…後部階段状カム
３２３…ロックガイド孔
３３０…リンクプレート
３３１…頂点部
３３２…後フローティングロック爪
３４０…左シフトプレート
３４１…左部階段状カム
３４２…ロック用スリット
３４３…左フローティングロック爪
３５０…アップダウンシャーシ
３５１…アップダウンガイドピン
３５２，３５３…振り込み回動ガイド穴
３５４…ストッパ
３６０…駆動ユニット
３６１…駆動モータ
３６２ａ〜３６２ｊ…Ａギア〜Ｊギア
３６３…メインラック
３６３ａ…間欠ラック部
３６３ｂ…連続ラック部
３６３ｃ，４１２ｂ…隆起縁
３６３ｄ…陥没縁
３６４…第１のカムギア
３６４ａ…上側トレースライドカム溝（小径部、大径部）
３６４ｂ…下側トレースライドカム溝（導入部、中間部、円弧部）
３６５…第２のカムギア
３６５ａ…ディスクキャッチカム溝（小径部、大径部）
３６６…トレースライドリンク
３６６ａ，３６７ａ，３６８ａ…ピン
３６７…トレースライダ
３６７ｂ…把持部
３６８…ディスクキャッチレバーベース
３６８ｂ…圧縮コイルばね
３６９，５１２，６１４，６４０…引張コイルばね
３７０…ディスクキャッチレバー
３７０ａ…ねじりコイルばね
３７０ｂ…押圧爪
４００…スイングユニット
４１０…振り込み駆動機構
４１１…パワープレート
４１１ａ…ガイド穴
４１２…パワーラック
４１２ａ…ラック部
４１２ｃ…規制部
４１３…ばね部材
４１３ａ…直線部
４１４…第１のギアロックリンク
４１４ａ，４１５ａ…回動軸
４１４ｂ…前方当接円柱
４１４ｃ…後方当接円柱
４１５…第２のギアロックリンク
４１５ｂ…ロック円柱
４２０…スイングシャーシ
４２１…振り込み回動軸
４２２…連結ピン
４２３，６４１，６４４，６５３…ガイドピン
４２４ａ…左当接爪
４２４ｂ…右当接爪
５００…ドライブユニット
５１０…リリース機構
５１１…リリースプレート
５１１ａ…リリース端部
５２０…ターンテーブル
５２１…スピンドルモータ
５２２…スリーブ
５２２ａ…センターストッパ
５２３…スプリング
５２４…ディスク挿通部
５２５…ディスクホック
５２５ａ…係留部
５２５ｂ…支点
５３０…光学ピックアップ
５３１…レンズ
５３２…スイッチノブ
５３３…スイッチスプリング
５４０…送り機構
５４１…ガイドレール
５４２…送りねじ
５４３…送りモータ
６００…マガジンイジェクトユニット
６１０…ローディングプレート
６１１…小ラック
６１２…切抜き部
６１２ａ…水平部
６１２ｂ…傾斜部
６１３，６２３…フック
６１５…パワーロックガイド
６２０…ローディングアーム
６２２…凸部
６３０…押し出し部材
６３１…キャッチ部
６４０…パワーロックリンク
６４３，６５１…回動軸
６５０…マガジンロック
６５２…ロック突起
【図１】
0003817062.tif 000002
【図２】
0003817062.tif 000003
【図３】
0003817062.tif 000004
【図４】
0003817062.tif 000005
【図５】
0003817062.tif 000006
【図６】
0003817062.tif 000007
【図７】
0003817062.tif 000008
【図８】
0003817062.tif 000009
【図９】
0003817062.tif 000010
【図１０】
0003817062.tif 000011
【図１１】
0003817062.tif 000012
【図１２】
0003817062.tif 000013
【図１３】
0003817062.tif 000014
【図１４】
0003817062.tif 000015
【図１５】
0003817062.tif 000016
【図１６】
0003817062.tif 000017
【図１７】
0003817062.tif 000018
【図１８】
0003817062.tif 000019
【図１９】
0003817062.tif 000020
【図２０】
0003817062.tif 000021
【図２１】
0003817062.tif 000022
【図２２】
0003817062.tif 000023
【図２３】
0003817062.tif 000024
【図２４】
0003817062.tif 000025
【図２５】
0003817062.tif 000026
【図２６】
0003817062.tif 000027
【図２７】
0003817062.tif 000028
【図２８】
0003817062.tif 000029
【図２９】
0003817062.tif 000030
【図３０】
0003817062.tif 000031
【図３１】
0003817062.tif 000032
【図３２】
0003817062.tif 000033
【図３３】
0003817062.tif 000034
【図３４】
0003817062.tif 000035
【図３５】
0003817062.tif 000036
【図３６】
0003817062.tif 000037
【図３７】
0003817062.tif 000038
【図３８】
0003817062.tif 000039
【図３９】
0003817062.tif 000040
【図４０】
0003817062.tif 000041
【図４１】
0003817062.tif 000042
【図４２】
0003817062.tif 000043